(57)【要約】      （修正有）【課題】利用側熱交換器の出口における冷媒の過冷却度に基づいて利用側流量調節弁の開度を制御する冷凍装置において、液圧損が大きい場合であっても、過冷却度制御を適切に行えるようにして、暖房能力の低下を抑える。【解決手段】レシーバ２８を有する熱源ユニット２と、利用側流量調節弁５１ａ〜５１ｄと利用側熱交換器５２ａ〜５２ｄとを有する利用ユニット３ａ〜３ｄとが、冷媒連絡管７を介して接続されており、利用側熱交換器を冷媒の放熱器として機能させる運転において、レシーバに、レシーバの上部と圧縮機２１の吸入側とを接続するレシーバガス抜き管４１を設け、レシーバガス抜き管に、開度調節が可能なガス抜き側流量調節弁４２を設け、過冷却度制御を行っている利用側流量調節弁が過冷却度制御を行うことが可能な過冷却度制御正常条件を満たすように、ガス抜き側流量調節弁の開度を制御する。【選択図】図１
2015224832.tif 000002
【特許請求の範囲】
【請求項１】
圧縮機（２１）と熱源側熱交換器（２４、２５）とレシーバ（２８）とを有する熱源ユニット（２）と、利用側流量調節弁（５１ａ、５１ｂ、５１ｃ、５１ｄ）と利用側熱交換器（５２ａ、５２ｂ、５２ｃ、５２ｄ）とを有する利用ユニット（３ａ、３ｂ、３ｃ、３ｄ）とが、ガス冷媒連絡管（８、９）及び液冷媒連絡管（７）を介して接続されており、前記利用側熱交換器を冷媒の放熱器として機能させる運転において、前記利用側熱交換器の出口における冷媒の過冷却度に基づいて前記利用側流量調節弁の開度を制御する過冷却度制御を行う冷凍装置において、
前記レシーバに、前記レシーバの上部と前記圧縮機の吸入側とを接続するレシーバガス抜き管（４１）を設け、
前記レシーバガス抜き管に、開度調節が可能なガス抜き側流量調節弁（４２）を設け、
前記過冷却度制御を行っている前記利用側流量調節弁が前記過冷却度制御を行うことが可能な過冷却度制御正常条件を満たすように、前記ガス抜き側流量調節弁の開度を制御する、
冷凍装置（１）。
【請求項２】
前記過冷却度制御正常条件は、前記過冷却度制御を行っている前記利用側流量調節弁（５１ａ、５１ｂ、５１ｃ、５１ｄ）の開度が過冷却度制御上限開度未満であることである、
請求項１に記載の冷凍装置（１）。
【請求項３】
前記過冷却度制御を行っている前記利用側流量調節弁（５１ａ、５１ｂ、５１ｃ、５１ｄ）が前記過冷却度制御正常条件を満たす場合には、前記ガス抜き側流量調節弁（４２）の開度を小さくする制御を行い、
前記過冷却度制御を行っている前記利用側流量調節弁が前記過冷却度制御正常条件を満たさない場合には、前記ガス抜き側流量調節弁の開度を大きくする制御を行う、
請求項１又は２に記載の冷凍装置（１）。
【請求項４】
前記レシーバ（２８）が所定液面まで達した場合には、前記過冷却度制御正常条件を満たすかどうかにかかわらず、前記ガス抜き側流量調節弁（４２）の開度を小さくする制御を行う、
請求項３に記載の冷凍装置（１）。
【発明の詳細な説明】
【技術分野】
【０００１】
本発明は、冷凍装置、特に、レシーバを有する熱源ユニットと、利用側流量調節弁と利用側熱交換器とを有する利用ユニットとが、冷媒連絡管を介して接続されており、利用側熱交換器を冷媒の放熱器として機能させる運転において、利用側熱交換器の出口における冷媒の過冷却度に基づいて利用側流量調節弁の開度を制御する冷凍装置に関する。
【背景技術】
【０００２】
従来より、特許文献１（特開２００６−７８０２６号公報）に示すように、レシーバを有する室外ユニット（熱源ユニット）と、室内電子膨張弁（利用側流量調節弁）と室外熱交換器（利用側熱交換器）とを有する室内ユニット（利用ユニット）とが、ガス配管及び液配管（ガス冷媒連絡管及び液冷媒連絡管）を介して接続された冷凍装置の一種である冷暖同時運転可能な空気調和機がある。
【発明の概要】
【発明が解決しようとする課題】
【０００３】
上記従来の冷凍装置においては、室内ユニット（利用ユニット）が暖房運転を行う際（利用側熱交換器を冷媒の放熱器として機能させる運転を行う際）に、利用ユニットにおいて所望の暖房能力を確保するために、利用側熱交換器の出口における冷媒の過冷却度に基づいて利用側流量調節弁の開度を制御する過冷却度制御を行う。
【０００４】
しかし、冷凍装置の設置条件や施工状況によって液冷媒連絡管の長さ等が異なるため、利用ユニットが暖房運転を行う際に液冷媒連絡管を流れる液冷媒の圧損（液圧損）が大きくなる場合がある。このため、液冷媒連絡管を介して利用ユニットから熱源ユニットに送られる液冷媒は、この液圧損に応じて圧力が低下して、液飽和の状態でレシーバに溜まることになり、利用側熱交換器の出口における冷媒は、この液圧損に応じて過冷却度が大きくなることがある。そして、利用側熱交換器の出口における冷媒の過冷却度が利用側流量調節弁の可変幅を超えて過冷却度制御を行えなくなる程に過大になってしまうと、利用側熱交換器の放熱能力が低下してしまい、利用ユニットにおける暖房能力が低下してしまうおそれがある。
【０００５】
本発明の課題は、レシーバを有する熱源ユニットと、利用側流量調節弁と利用側熱交換器とを有する利用ユニットとが、冷媒連絡管を介して接続されており、利用側熱交換器を冷媒の放熱器として機能させる運転において、利用側熱交換器の出口における冷媒の過冷却度に基づいて利用側流量調節弁の開度を制御する冷凍装置において、液圧損が大きい場合であっても、過冷却度制御を適切に行えるようにして、暖房能力の低下を抑えることにある。
【課題を解決するための手段】
【０００６】
第１の観点にかかる冷凍装置は、圧縮機と熱源側熱交換器とレシーバとを有する熱源ユニットと、利用側流量調節弁と利用側熱交換器とを有する利用ユニットとが、ガス冷媒連絡管及び液冷媒連絡管を介して接続されている。そして、この冷凍装置では、利用側熱交換器を冷媒の放熱器として機能させる運転において、利用側熱交換器の出口における冷媒の過冷却度に基づいて利用側流量調節弁の開度を制御する過冷却度制御を行う。そして、ここでは、レシーバに、レシーバの上部と圧縮機の吸入側とを接続するレシーバガス抜き管を設け、レシーバガス抜き管に、開度調節が可能なガス抜き側流量調節弁を設け、過冷却度制御を行っている利用側流量調節弁が過冷却度制御を行うことが可能な過冷却度制御正常条件を満たすように、ガス抜き側流量調節弁の開度を制御するようにしている。
【０００７】
液圧損によって過冷却度制御正常条件を満たなくなると、利用側熱交換器の出口における冷媒の過冷却度が目標過冷却度等の所望の過冷却度よりも過大になり、利用側流量調節弁の開度を制御するだけでは、利用側熱交換器の出口における冷媒の過冷却度が目標過冷却度等の所望の過冷却度まで小さくすることができない状況になってしまう。
【０００８】
そして、このような状況を解消するためには、レシーバに溜まる冷媒の状態を気液二相状態にして、利用側熱交換器の出口における冷媒の過冷却度を小さくすることが必要である。
【０００９】
そこで、ここでは、上記のように、レシーバガス抜き管に、開度調節が可能なガス抜き側流量調節弁を設け、過冷却度制御正常条件を満たすように、ガス抜き側流量調節弁の開度を制御するようにしている。すなわち、ガス抜き側流量調節弁の開度を大きくすることによって、レシーバに流入する冷媒の状態をガス冷媒が多い気液二相状態にして、利用側熱交換器の出口における冷媒の過冷却度を小さくし、利用側熱交換器の出口における冷媒の過冷却度が利用側流量調節弁の可変幅を超えて過冷却度制御を行えなくなる程に過大になるのを防ぐ、すなわち、過冷却度制御正常条件を満たすようにするのである。
【００１０】
これにより、ここでは、液圧損が大きい場合であっても、過冷却度制御が適切に行えるようになり、暖房能力の低下を抑えることができる。
【００１１】
第２の観点にかかる冷凍装置は、第１の観点にかかる冷凍装置において、過冷却度制御正常条件が、過冷却度制御を行っている利用側流量調節弁の開度が過冷却度制御上限開度未満であることである。
【００１２】
ここでは、上記のように、利用側流量調節弁の開度が過冷却度制御上限開度未満であるかどうかによって、過冷却度制御正常条件を満たしているかどうかを判定するようにしている。すなわち、利用側流量調節弁の開度が過冷却度制御における上限開度である過冷却度制御上限開度まで開いた状態になっている場合には、利用側流量調節弁の可変幅を超えており、利用側熱交換器の出口における冷媒の過冷却度が過冷却度制御を行えなくなる程に過大になっているものとみなすようにしている。
【００１３】
これにより、ここでは、過冷却度制御を行っている利用側流量調節弁の開度を過冷却度制御上限開度未満に維持できるようになり、利用側流量調節弁の可変幅の範囲内で過冷却度制御を行うことができる。
【００１４】
第３の観点にかかる冷凍装置は、第１又は第２の観点にかかる冷凍装置において、過冷却度制御を行っている利用側流量調節弁が過冷却度制御正常条件を満たす場合には、ガス抜き側流量調節弁の開度を小さくする制御を行い、過冷却度制御を行っている利用側流量調節弁が過冷却度制御正常条件を満たさない場合には、ガス抜き側流量調節弁の開度を大きくする制御を行う。
【００１５】
ここでは、上記のように、過冷却度制御正常条件を満たすかどうかによってガス抜き側流量調節弁を開閉制御するようにしている。このため、ガス抜き側流量調節弁の開度を、過冷却度制御正常条件を満たすために必要な最小限の開度で維持することができる。
【００１６】
これにより、ここでは、レシーバから抜き出されるガス冷媒の量を最小限に抑えることができるようになり、レシーバからのガス抜きによる性能低下を抑えることができる。
【００１７】
第４の観点にかかる冷凍装置は、第３の観点にかかる冷凍装置において、レシーバが所定液面まで達した場合には、過冷却度制御正常条件を満たすかどうかにかかわらず、ガス抜き側流量調節弁の開度を小さくする制御を行う。
【００１８】
ガス抜き側流量調節弁を開けることでレシーバからガス冷媒を抜き出すと、レシーバ内に溜まる液冷媒の液面が上昇して、満液近くまで上昇する場合もあり得る。
【００１９】
そこで、ここでは、上記のように、レシーバが所定液面まで達した場合には、過冷却度制御正常条件を満たすかどうかにかかわらず、すなわち、過冷却度制御正常条件を満たさない場合であっても、ガス抜き側流量調節弁の開度を強制的に小さくする制御を行う。
【００２０】
これにより、ここでは、過冷却度制御を適切に行えるようにしつつ、レシーバから圧縮機に液冷媒が戻ることを抑えることができる。
【発明の効果】
【００２１】
以上の説明に述べたように、本発明によれば、以下の効果が得られる。
【００２２】
第１の観点にかかる冷凍装置では、液圧損が大きい場合であっても、過冷却度制御が適切に行えるようになり、暖房能力の低下を抑えることができる。
【００２３】
第２の観点にかかる冷凍装置では、過冷却度制御を行っている利用側流量調節弁の開度を過冷却度制御上限開度未満に維持できるようになり、利用側流量調節弁の可変幅の範囲内で過冷却度制御を行うことができる。
【００２４】
第３の観点にかかる冷凍装置では、レシーバから抜き出されるガス冷媒の量を最小限に抑えることができるようになり、レシーバからのガス抜きによる性能低下を抑えることができる。
【００２５】
第４の観点にかかる冷凍装置では、過冷却度制御を適切に行えるようにしつつ、レシーバから圧縮機に液冷媒が戻ることを抑えることができる。
【図面の簡単な説明】
【００２６】
【図１】本発明にかかる冷凍装置の一実施形態としての冷暖同時運転型空気調和装置の概略構成図である。
【図２】レシーバ及びその周辺の構造を示す概略図である。
【図３】冷房運転における動作（冷媒の流れ）を示す図である。
【図４】暖房運転における動作（冷媒の流れ）を示す図である。
【図５】冷暖同時運転（蒸発負荷主体）における動作（冷媒の流れ）を示す図である。
【図６】冷暖同時運転（放熱負荷主体）における動作（冷媒の流れ）を示す図である。
【図７】ガス抜き側流量調節弁を全閉状態で暖房運転を行った場合の冷凍サイクルを示したモリエル線図である。
【図８】ガス抜き側流量調節弁を開状態で暖房運転を行った場合の冷凍サイクルを示したモリエル線図である。
【図９】ガス抜き側流量調節弁の開度制御のフローチャートである。
【発明を実施するための形態】
【００２７】
以下、本発明にかかる冷凍装置の実施形態について、図面に基づいて説明する。尚、本発明にかかる冷凍装置の具体的な構成は、下記の実施形態及びその変形例に限られるものではなく、発明の要旨を逸脱しない範囲で変更可能である。
【００２８】
（１）冷凍装置（冷暖同時運転型空気調和装置）の構成
図１は、本発明にかかる冷凍装置の一実施形態としての冷暖同時運転型空気調和装置１の概略構成図である。冷暖同時運転型空気調和装置１は、蒸気圧縮式の冷凍サイクル運転を行うことによって、ビル等の室内の冷暖房に使用される装置である。
【００２９】
冷暖同時運転型空気調和装置１は、主として、１台の熱源ユニット２と、複数（ここでは、４台）の利用ユニット３ａ、３ｂ、３ｃ、３ｄと、各利用ユニット３ａ、３ｂ、３ｃ、３ｄに接続される接続ユニット４ａ、４ｂ、４ｃ、４ｄと、接続ユニット４ａ、４ｂ、４ｃ、４ｄを介して熱源ユニット２と利用ユニット３ａ、３ｂ、３ｃ、３ｄとを接続する冷媒連絡管７、８、９とを有している。すなわち、冷暖同時運転型空気調和装置１の蒸気圧縮式の冷媒回路１０は、熱源ユニット２と、利用ユニット３ａ、３ｂ、３ｃ、３ｄと、接続ユニット４ａ、４ｂ、４ｃ、４ｄと、冷媒連絡管７、８、９とが接続されることによって構成されている。そして、冷暖同時運転型空気調和装置１は、各利用ユニット３ａ、３ｂ、３ｃ、３ｄが個別に冷房運転又は暖房運転を行うことが可能になっており、暖房運転を行う利用ユニットから冷房運転を行う利用ユニットに冷媒を送ることで利用ユニット間において熱回収を行うこと（ここでは、冷房運転と暖房運転とを同時に行う冷暖同時運転を行うこと）が可能になるように構成されている。しかも、冷暖同時運転型空気調和装置１では、上記の熱回収（冷暖同時運転）も考慮した複数の利用ユニット３ａ、３ｂ、３ｃ、３ｄ全体の熱負荷に応じて、熱源ユニット２の熱負荷をバランスさせるように構成されている。
【００３０】
＜利用ユニット＞
利用ユニット３ａ、３ｂ、３ｃ、３ｄは、ビル等の室内の天井に埋め込みや吊り下げ等、又は、室内の壁面に壁掛け等により設置されている。利用ユニット３ａ、３ｂ、３ｃ、３ｄは、冷媒連絡管７、８、９及び接続ユニット４ａ、４ｂ、４ｃ、４ｄを介して熱源ユニット２に接続されており、冷媒回路１０の一部を構成している。
【００３１】
次に、利用ユニット３ａ、３ｂ、３ｃ、３ｄの構成について説明する。尚、利用ユニット３ａと利用ユニット３ｂ、３ｃ、３ｄとは同様の構成であるため、ここでは、利用ユニット３ａの構成のみ説明し、利用ユニット３ｂ、３ｃ、３ｄの構成については、それぞれ、利用ユニット３ａの各部を示す符号の添字「ａ」の代わりに、「ｂ」、「ｃ」又は「ｄ」の添字を付して、各部の説明を省略する。
【００３２】
利用ユニット３ａは、主として、冷媒回路１０の一部を構成しており、利用側冷媒回路１３ａ（利用ユニット３ｂ、３ｃ、３ｄでは、それぞれ、利用側冷媒回路１３ｂ、１３ｃ、１３ｄ）を有している。利用側冷媒回路１３ａは、主として、利用側流量調節弁５１ａと、利用側熱交換器５２ａとを有している。
【００３３】
利用側流量調節弁５１ａは、利用側熱交換器５２ａを流れる冷媒の流量の調節等を行うために、利用側熱交換器５２ａの液側に接続された開度調節が可能な電動膨張弁である。
【００３４】
利用側熱交換器５２ａは、冷媒と室内空気との熱交換を行うための機器であり、例えば、多数の伝熱管及びフィンによって構成されたフィン・アンド・チューブ型熱交換器からなる。ここで、利用ユニット３ａは、ユニット内に室内空気を吸入して、熱交換した後に、供給空気として屋内に供給するための室内ファン５３ａを有しており、室内空気と利用側熱交換器３２ａを流れる冷媒とを熱交換させることが可能である。室内ファン５３ａは、室内ファンモータ５４ａによって駆動される。
【００３５】
また、利用ユニット３ａには、各種のセンサが設けられている。具体的には、利用側熱交換器５２ａの液側（利用側熱交換器５２ａを冷媒の放熱器として機能させる際の出口）における冷媒の温度を検出する液側温度センサ８２ａが設けられている。また、利用ユニット３ａは、利用ユニット３ａを構成する各部５１ａ、５４ａの動作を制御する利用側制御部５０ａを有している。そして、利用側制御部５０ａは、利用ユニット３ａの制御を行うために設けられたマイクロコンピュータやメモリを有しており、リモコン（図示せず）との間で制御信号等のやりとりを行ったり、熱源ユニット２との間で制御信号等のやりとりを行うことができるようになっている。
【００３６】
＜熱源ユニット＞
熱源ユニット２は、ビル等の屋上等に設置されており、冷媒連絡管７、８、９を介して利用ユニット３ａ、３ｂ、３ｃ、３ｄに接続されており、利用ユニット３ａ、３ｂ、３ｃ、３ｄとの間で冷媒回路１０を構成している。
【００３７】
次に、熱源ユニット２の構成について説明する。熱源ユニット２は、主として、冷媒回路１０の一部を構成しており、熱源側冷媒回路１２を有している。熱源側冷媒回路１２は、主として、圧縮機２１と、複数（ここでは、２つ）の熱交切換機構２２、２３と、主熱源側熱交換器としての２つの熱源側熱交換器２４、２５と予冷熱交換器３５とからなる熱源側熱交換器と、冷媒冷却器３６と、２つの熱源側熱交換器２４、２５に対応する熱源側流量調節弁２６、２７と、予冷熱交換器３５及び冷媒冷却器３６に対応する冷媒冷却側流量調節弁３７と、レシーバ２８と、ブリッジ回路２９と、高低圧切換機構３０と、液側閉鎖弁３１と、高低圧ガス側閉鎖弁３２と、低圧ガス側閉鎖弁３３とを有している。
【００３８】
圧縮機２１は、ここでは、冷媒を圧縮するための機器であり、例えば、圧縮機モータ２１ａをインバータ制御することで運転容量を可変することが可能なスクロール型等の容積式圧縮機からなる。
【００３９】
第１熱交切換機構２２は、主熱源側熱交換器としての第１熱源側熱交換器２４を冷媒の放熱器として機能させる場合（以下、「放熱運転状態」とする）には圧縮機２１の吐出側と第１熱源側熱交換器２４のガス側とを接続し（図１の第１熱交切換機構２２の実線を参照）、第１熱源側熱交換器２４を冷媒の蒸発器として機能させる場合（以下、「蒸発運転状態」とする）には圧縮機２１の吸入側と第１熱源側熱交換器２４のガス側とを接続するように（図１の第１熱交切換機構２２の破線を参照）、熱源側冷媒回路１２内における冷媒の流路を切り換えることが可能な機器であり、例えば、四路切換弁からなる。また、第２熱交切換機構２３は、主熱源側熱交換器としての第２熱源側熱交換器２５を冷媒の放熱器として機能させる場合（以下、「放熱運転状態」とする）には圧縮機２１の吐出側と第２熱源側熱交換器２５のガス側とを接続し（図１の第２熱交切換機構２３の実線を参照）、第２熱源側熱交換器２５を冷媒の蒸発器として機能させる場合（以下、「蒸発運転状態」とする）には圧縮機２１の吸入側と第２熱源側熱交換器２５のガス側とを接続するように（図１の第２熱交切換機構２３の破線を参照）、熱源側冷媒回路１２内における冷媒の流路を切り換えることが可能な機器であり、例えば、四路切換弁からなる。そして、第１熱交切換機構２２及び第２熱交切換機構２３の切り換え状態を変更することによって、第１熱源側熱交換器２４及び第２熱源側熱交換器２５は、個別に冷媒の蒸発器又は放熱器として機能させる切り換えが可能になっている。
【００４０】
主熱源側熱交換器としての第１熱源側熱交換器２４は、冷媒と室外空気との熱交換を行うための機器であり、例えば、多数の伝熱管及びフィンによって構成されたフィン・アンド・チューブ型熱交換器からなる。第１熱源側熱交換器２４は、そのガス側が第１熱交切換機構２２に接続され、その液側が第１熱源側流量調節弁２６に接続されている。また、主熱源側熱交換器としての第２熱源側熱交換器２５は、冷媒と室外空気との熱交換を行うための機器であり、例えば、多数の伝熱管及びフィンによって構成されたフィン・アンド・チューブ型熱交換器からなる。第２熱源側熱交換器２５は、そのガス側が第２熱交切換機構２３に接続され、その液側が第２熱源側流量調節弁２７に接続されている。
【００４１】
予冷熱交換器３５は、冷媒と室外空気との熱交換を行うための機器であり、例えば、多数の伝熱管及びフィンによって構成されたフィン・アンド・チューブ型熱交換器からなる。予冷熱交換器３５は、熱源側熱交換器の一部（すなわち、熱源側熱交換器のうち主熱源側熱交換器としての熱源側熱交換器２４、２５を除いた部分）を構成しており、圧縮機２１から吐出される高圧のガス冷媒を常時流すように熱源側冷媒回路１２に設けられている。具体的には、予冷熱交換器３５は、主熱源側熱交換器としての熱源側熱交換器２４、２５とは異なり、熱交切換機構２２、２３のような冷媒の蒸発器又は放熱器として機能させる切り換えを可能にするための機構を介することなく、そのガス側が圧縮機２１の吐出側に接続されている。すなわち、予冷熱交換器３５は、主熱源側熱交換器としての熱源側熱交換器２４、２５とは異なり、常時冷媒の放熱器として機能するようになっている。
【００４２】
ここでは、第１熱源側熱交換器２４と第２熱源側熱交換器２５と予冷熱交換器３５とが一体の熱源側熱交換器として構成されている。そして、熱源ユニット２は、ユニット内に室外空気を吸入して、熱交換した後に、ユニット外に排出するための室外ファン３４を有しており、室外空気と熱源側熱交換器２４、２５、３５を流れる冷媒とを熱交換させることが可能である。室外ファン３４は、回転数制御が可能な室外ファンモータ３４ａによって駆動される。
【００４３】
冷媒冷却器３６は、予冷熱交換器３５において放熱した冷媒と電装品２０ａとの熱交換を行うことで電装品２０ａを冷却する機器であり、予冷熱交換器３５の液側、すなわち、予冷熱交換器３５の下流側に接続されている。冷媒冷却器３６は、例えば、冷媒流路が形成された金属製の部材を電装品２０ａに接触させることによって構成されている。ここで、電装品２０ａは、熱源ユニット２を構成する各部を制御するための電気部品であり、後述の熱源側制御部２０を構成している。そして、冷媒冷却器３６によって冷却が必要な電装品２０ａとしては、圧縮機モータ２１ａを制御するためのインバータを構成するパワー素子やリアクタ等の高発熱電気部品が挙げられる。このような高発熱電気部品は、圧縮機２１の運転容量が大きくなるにつれて、発熱量が大きくなる傾向にある。尚、図１において、電装品２０ａを熱源側制御部２０とは別に図示しているが、これは、冷媒冷却器３６の機能を説明するための便宜を考慮したものである。
【００４４】
第１熱源側流量調節弁２６は、第１熱源側熱交換器２４を流れる冷媒の流量の調節等を行うために、第１熱源側熱交換器２４の液側に接続された開度調節が可能な電動膨張弁である。また、第２熱源側流量調節弁２７は、第２熱源側熱交換器２５を流れる冷媒の流量の調節等を行うために、第２熱源側熱交換器２５の液側に接続された開度調節が可能な電動膨張弁である。すなわち、熱源側熱交換器２４、２５、３５のうち予冷熱交換器３５を除いた部分である主熱源側熱交換器としての熱源側熱交換器２４、２５の液側に、各熱源側熱交換器２４、２５を流れる冷媒の流量を調節する熱源側流量調節弁２６、２７が接続されている。
【００４５】
冷媒冷却側流量調節弁３７は、予冷熱交換器３５及び冷媒冷却器３６を流れる冷媒の流量の調節等を行うために、冷媒冷却器３６の下流側に接続された開度調節が可能な電動膨張弁である。そして、主熱源側熱交換器としての熱源側熱交換器２４、２５を冷媒の放熱器として機能させる際の熱源側流量調節弁２６、２７の下流側に、すなわち、第１熱源側熱交換器２４を冷媒の放熱器として機能させる際の第１熱源側流量調節弁２６の下流側に、かつ、第２熱源側熱交換器２５を冷媒の放熱器として機能させる際の第２熱源側流量調節弁２７の下流側に、冷媒冷却側流量調節弁３７の出口が接続されている。ここでは、冷媒冷却側流量調節弁３７の出口は、レシーバ２８の出口管２８ｂに合流するように接続されている。
【００４６】
レシーバ２８は、熱源側熱交換器２４、２５と利用側冷媒回路１３ａ、１３ｂ、１３ｃ、１３ｄとの間を流れる冷媒を一時的に溜めるための容器である。レシーバ２８の上部には、レシーバ入口管２８ａが設けられており、レシーバ２８の下部には、レシーバ出口管２８ｂが設けられている。また、レシーバ入口管２８ａには、開閉制御が可能なレシーバ入口開閉弁２８ｃが設けられている。そして、レシーバ２８の入口管２８ａ及び出口管２８ｂは、ブリッジ回路２９を介して、熱源側熱交換器２４、２５と液側閉鎖弁３１との間に接続されている。
【００４７】
また、レシーバ２８には、レシーバガス抜き管４１が接続されている。レシーバガス抜き管４１は、レシーバ入口管２８ａとは別にレシーバ２８の上部から冷媒を抜き出すように設けられており、レシーバ２８の上部と圧縮機２１の吸入側とを接続している。レシーバガス抜き管４１には、レシーバ２８からガス抜きされる冷媒の流量の調節等を行うために、ガス抜き側流量調節弁４２が設けられている。ここで、ガス抜き側流量調節弁４２は、開度調節が可能な電動膨張弁からなる。
【００４８】
また、レシーバ２８には、図２に示すように、レシーバ２８内の液面がレシーバガス抜き管４１を接続した位置よりも下側の所定位置Ｌ１まで達しているかどうかを検知するためのレシーバ液面検知管４３が接続されている。ここで、レシーバ液面検知管４３は、レシーバ２８の上下方向の中間付近の部分から冷媒を抜き出すように設けられている。そして、レシーバ液面検知管４３は、キャピラリチューブ４３ａを介してレシーバガス抜き管４１に合流している。ここで、レシーバ液面検知管４３は、レシーバガス抜き管４１のガス抜き側流量調節弁４２が設けられている位置よりも上流側の部分に合流するように設けられている。さらに、レシーバガス抜き管４１には、レシーバ液面検知管４３が合流する位置よりも下流側に、レシーバガス抜き管４１を流れる冷媒を加熱する冷媒加熱器４４が設けられている。ここで、冷媒加熱器４４は、圧縮機２１から吐出される高圧のガス冷媒を加熱源としてレシーバガス抜き管４１を流れる冷媒を加熱する熱交換器である。ここで、冷媒加熱器４４は、圧縮機２１から吐出された高圧のガス冷媒の一部を分岐して熱源側熱交換器２４、２５、３５の一部である予冷熱交換器３５に送る冷媒管とレシーバガス抜き管４１とを接触させることによって構成される配管熱交換器や二重管熱交換器等からなる。すなわち、冷媒加熱器４４は、圧縮機２１から吐出される高圧のガス冷媒が常時流れる予冷熱交換器３５の上流側に接続されている。そして、冷凍サイクル運転時において、圧縮機２１から吐出される高圧のガス冷媒の一部が分岐されて、冷媒加熱器４４、予冷熱交換器３５、冷媒冷却器３６及び冷媒冷却側流量調節弁３７を通じて、レシーバ出口管２８ｂに合流する流れが得られ、レシーバガス抜き管４１から抜き出される冷媒は、この圧縮機２１から吐出される高圧のガス冷媒の一部によって加熱されるようになっている。
【００４９】
ブリッジ回路２９は、冷媒が熱源側熱交換器２４、２５側から液側閉鎖弁３１側に向かって流れる場合、及び、冷媒が液側閉鎖弁３１側から熱源側熱交換器２４、２５側に向かって流れる場合のいずれにおいても、レシーバ入口管２８ａを通じてレシーバ２８内に冷媒を流入させ、レシーバ出口管２８ｂを通じてレシーバ２８内から冷媒を流出させる機能を有する回路である。ブリッジ回路２９は、４つの逆止弁２９ａ、２９ｂ、２９ｃ、２９ｄを有している。そして、入口逆止弁２９ａは、熱源側熱交換器２４、２５側からレシーバ入口管２８ａへの冷媒の流通のみを許容する逆止弁である。入口逆止弁２９ｂは、液側閉鎖弁３１側からレシーバ入口管２８ａへの冷媒の流通のみを許容する逆止弁である。すなわち、入口逆止弁２９ａ、２９ｂは、熱源側熱交換器２４、２５側又は液側閉鎖弁３１側からレシーバ入口管２８ａに冷媒を流通させる機能を有している。出口逆止弁２９ｃは、レシーバ出口管２８ｂから液側閉鎖弁３１側への冷媒の流通のみを許容する逆止弁である。出口逆止弁２９ｄは、レシーバ出口管２８ｂから熱源側熱交換器２４、２５側への冷媒の流通のみを許容する逆止弁である。すなわち、出口逆止弁２９ｃ、２９ｄは、レシーバ出口管２８ｂから熱源側熱交換器２４、２５側又は液側閉鎖弁３１側に冷媒を流通させる機能を有している。
【００５０】
また、ブリッジ回路２９には、熱源側熱交換器２４、２５の液側を流れる冷媒との熱交換を行う液管熱交換器としての過冷却熱交換器４５が設けられ、熱源側熱交換器２４、２５の液側と利用側熱交換器５２ａ、５２ｂ、５２ｃ、５２ｄの液側との間を流れる冷媒の一部を圧縮機２１の吸入側に戻す吸入戻し管４６が接続されている。過冷却熱交換器４５は、レシーバ出口管２８ｂに設けられており、吸入戻し管４６を流れる冷媒を冷却源としてレシーバ出口管２８ｂを流れる冷媒（すなわち、熱源側熱交換器２４、２５の液側と利用側熱交換器５２ａ、５２ｂ、５２ｃ、５２ｄの液側との間を流れる冷媒）を冷却する冷却器である。ここで、過冷却熱交換器４５は、吸入戻し管４６とレシーバ出口管２８ｂとを接触させることによって構成される配管熱交換器や二重管熱交換器等からなる。吸入戻し管４６は、レシーバ出口管２８ｂから分岐されるように設けられており、過冷却熱交換器４５を介してレシーバ出口管２８ｂと圧縮機２１の吸入側とを接続している。吸入戻し管４６には、レシーバ出口管２８ｂから分岐される冷媒の流量の調節等を行うために、吸入戻し側流量調節弁４７が設けられている。吸入戻し側流量調節弁４７は、吸入戻し管４６の過冷却熱交換器４５の上流側の部分に設けられている。ここで、吸入戻し側流量調節弁４７は、開度調節が可能な電動膨張弁からなる。
【００５１】
高低圧切換機構３０は、圧縮機２１から吐出された高圧のガス冷媒を利用側冷媒回路１３ａ、１３ｂ、１３ｃ、１３ｄに送る場合（以下、「放熱負荷運転状態」とする）には、圧縮機２１の吐出側と高低圧ガス側閉鎖弁３２とを接続し（図１の高低圧切換機構３０の破線を参照）、圧縮機２１から吐出された高圧のガス冷媒を利用側冷媒回路１３ａ、１３ｂ、１３ｃ、１３ｄに送らない場合（以下、「蒸発負荷運転状態」とする）には、高低圧ガス側閉鎖弁３２と圧縮機２１の吸入側とを接続するように（図１の高低圧切換機構３０の実線を参照）、熱源側冷媒回路１２内における冷媒の流路を切り換えることが可能な機器であり、例えば、四路切換弁からなる。
【００５２】
液側閉鎖弁３１、高低圧ガス側閉鎖弁３２及び低圧ガス側閉鎖弁３３は、外部の機器・配管（具体的には、冷媒連絡管７、８及び９）との接続口に設けられた弁である。液側閉鎖弁３１は、ブリッジ回路２９を介してレシーバ入口管２８ａ又はレシーバ出口管２８ｂに接続されている。高低圧ガス側閉鎖弁３２は、高低圧切換機構３０に接続されている。低圧ガス側閉鎖弁３３は、圧縮機２１の吸入側に接続されている。
【００５３】
また、熱源ユニット２には、各種のセンサが設けられている。具体的には、圧縮機２１の吸入側における冷媒の圧力を検出する吸入圧力センサ７１と、圧縮機２１の吐出側における冷媒の圧力を検出する吐出圧力センサ７３と、レシーバガス抜き管４１を流れる冷媒の温度を検出するガス抜き側温度センサ７５と、吸入戻し管４６を流れる冷媒の温度を検出する吸入戻し側温度センサ８１とが設けられている。ここでは、ガス抜き側温度センサ７５は、冷媒加熱器４４の出口における冷媒の温度を検出するようにレシーバガス抜き管４１に設けられ、吸入戻し側温度センサ８１は、過冷却熱交換器４５の出口における冷媒の温度を検出するように吸入戻し管４６に設けられている。また、熱源ユニット２は、熱源ユニット２を構成する各部２１ａ、２２、２３、２６、２７、２８ｃ、３０、３４ａ、３７、４２、４７の動作を制御する熱源側制御部２０を有している。そして、熱源側制御部２０は、熱源ユニット２の制御を行うために設けられたマイクロコンピュータやメモリを有しており、利用ユニット３ａ、３ｂ、３ｃ、３ｄの利用側制御部５０ａ、５０ｂ、５０ｃ、５０ｄとの間で制御信号等のやりとりを行うことができるようになっている。
【００５４】
＜接続ユニット＞
接続ユニット４ａ、４ｂ、４ｃ、４ｄは、ビル等の室内に利用ユニット３ａ、３ｂ、３ｃ、３ｄとともに設置されている。接続ユニット４ａ、４ｂ、４ｃ、４ｄは、冷媒連絡管９、１０、１１とともに、利用ユニット３、４、５と熱源ユニット２との間に介在しており、冷媒回路１０の一部を構成している。
【００５５】
次に、接続ユニット４ａ、４ｂ、４ｃ、４ｄの構成について説明する。尚、接続ユニット４ａと接続ユニット４ｂ、４ｃ、４ｄとは同様の構成であるため、ここでは、接続ユニット４ａの構成のみ説明し、接続ユニット４ｂ、４ｃ、４ｄの構成については、それぞれ、接続ユニット４ａの各部を示す符号の添字「ａ」の代わりに、「ｂ」、「ｃ」又は「ｄ」の添字を付して、各部の説明を省略する。
【００５６】
接続ユニット４ａは、主として、冷媒回路１０の一部を構成しており、接続側冷媒回路１４ａ（接続ユニット４ｂ、４ｃ、４ｄでは、それぞれ、接続側冷媒回路１４ｂ、１４ｃ、１４ｄ）を有している。接続側冷媒回路１４ａは、主として、液接続管６１ａと、ガス接続管６２ａとを有している。
【００５７】
液接続管６１ａは、液冷媒連絡管７と利用側冷媒回路１３ａの利用側流量調節弁５１ａとを接続している。
【００５８】
ガス接続管６２ａは、高低圧ガス冷媒連絡管８に接続された高圧ガス接続管６３ａと、低圧ガス冷媒連絡管９に接続された低圧ガス接続管６４ａと、高圧ガス接続管６３ａと低圧ガス接続管６４ａとを合流させる合流ガス接続管６５ａとを有している。合流ガス接続管６５ａは、利用側冷媒回路１３ａの利用側熱交換器５２ａのガス側に接続されている。高圧ガス接続管６３ａには、開閉制御が可能な高圧ガス開閉弁６６ａが設けられており、低圧ガス接続管６４ａには、開閉制御が可能な低圧ガス開閉弁６７ａが設けられている。
【００５９】
そして、接続ユニット４ａは、利用ユニット３ａが冷房運転を行う際には、低圧ガス開閉弁６７ａを開けた状態にして、液冷媒連絡管７を通じて液接続管６１ａに流入する冷媒を利用側冷媒回路１３ａの利用側流量調節弁５１ａを通じて利用側熱交換器５２ａに送り、利用側熱交換器５２ａにおいて室内空気との熱交換によって蒸発した冷媒を、合流ガス接続管６５ａ及び低圧ガス接続管６４ａを通じて、低圧ガス冷媒連絡管９に戻すように機能することができる。また、接続ユニット４ａは、利用ユニット３ａが暖房運転を行う際には、低圧ガス開閉弁６７ａを閉止し、かつ、高圧ガス開閉弁６６ａを開けた状態にして、高低圧ガス冷媒連絡管８を通じて高圧ガス接続管６３ａ及び合流ガス接続管６５ａに流入する冷媒を利用側冷媒回路１３ａの利用側熱交換器５２ａに送り、利用側熱交換器５２ａにおいて室内空気との熱交換によって放熱した冷媒を、利用側流量調節弁５１ａ及び液接続管６１ａを通じて、液冷媒連絡管７に戻すように機能することができる。この機能は、接続ユニット４ａだけでなく、接続ユニット４ｂ、４ｃ、４ｄも同様に有しているため、接続ユニット４ａ、４ｂ、４ｃ、４ｄによって、利用側熱交換器５２ａ、５２ｂ、５２ｃ、５２ｄは、個別に冷媒の蒸発器又は放熱器として機能させる切り換えが可能になっている。
【００６０】
また、接続ユニット４ａは、接続ユニット４ａを構成する各部６６ａ、６７ａの動作を制御する接続側制御部６０ａを有している。そして、接続側制御部６０ａは、接続ユニット６０ａの制御を行うために設けられたマイクロコンピュータやメモリを有しており、利用ユニット３ａの利用側制御部５０ａとの間で制御信号等のやりとりを行うことができるようになっている。
【００６１】
以上のように、利用側冷媒回路１３ａ、１３ｂ、１３ｃ、１３ｄと、熱源側冷媒回路１２と、冷媒連絡管７、８、９と、接続側冷媒回路１４ａ、１４ｂ、１４ｃ、１４ｄとが接続されて、冷暖同時運転型空気調和装置１の冷媒回路１０が構成されている。そして、冷暖同時運転型空気調和装置１では、圧縮機２１と熱源側熱交換器２４、２５とレシーバ２８とを有する熱源ユニット２と、利用側流量調節弁５１ａ、５１ｂ、５１ｃ、５１ｄと利用側熱交換器５２ａ、５２ｂ、５２ｃ、５２ｄとを有する利用ユニット３ａ、３ｂ、３ｃ、３ｄとが、ガス冷媒連絡管８、９及び液冷媒連絡管７を介して接続された冷凍装置を構成している。そして、ここでは、後述のように、暖房運転等のような利用側熱交換器５２ａ、５２ｂ、５２ｃ、５２ｄを冷媒の放熱器として機能させる運転において、利用側熱交換器５２ａ、５２ｂ、５２ｃ、５２ｄの出口における冷媒の過冷却度ＳＣに基づいて利用側流量調節弁５１ａ、５１ｂ、５１ｃ、５１ｄの開度を制御する過冷却度制御を行うようになっている。また、レシーバ２８に、レシーバ２８の上部と圧縮機２１の吸入側とを接続するレシーバガス抜き管４１を設け、レシーバガス抜き管４１に、開度調節が可能なガス抜き側流量調節弁４２を設けている。
【００６２】
（２）冷凍装置（冷暖同時運転型空気調和装置）の動作
次に、冷暖同時運転型空気調和装置１の動作について説明する。
【００６３】
冷暖同時運転型空気調和装置１の冷凍サイクル運転としては、冷房運転と、暖房運転と、冷暖同時運転（蒸発負荷主体）と、冷暖同時運転（放熱負荷主体）とがある。ここで、冷房運転は、冷房運転（すなわち、利用側熱交換器が冷媒の蒸発器として機能する運転）を行う利用ユニットだけが存在し、利用ユニット全体の蒸発負荷に対して熱源側熱交換器２４、２５を冷媒の放熱器として機能させる運転である。暖房運転は、暖房運転（すなわち、利用側熱交換器が冷媒の放熱器として機能する運転）を行う利用ユニットだけが存在し、利用ユニット全体の放熱負荷に対して主熱源側熱交換器としての熱源側熱交換器２４、２５を冷媒の蒸発器として機能させる運転である。冷暖同時運転（蒸発負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が蒸発負荷主体である場合に、この利用ユニット全体の蒸発負荷に対して主熱源側熱交換器としての熱源側熱交換器２４、２５を冷媒の放熱器として機能させる運転である。冷暖同時運転（放熱負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が放熱負荷主体である場合に、この利用ユニット全体の放熱負荷に対して主熱源側熱交換器としての熱源側熱交換器２４、２５を冷媒の蒸発器として機能させる運転である。
【００６４】
尚、これらの冷凍サイクル運転を含む冷暖同時運転型空気調和装置１の動作は、上記の制御部２０、５０ａ、５０ｂ、５０ｃ、５０ｄ、６０ａ、６０ｂ、６０ｃ、６０ｄによって行われる。
【００６５】
−冷房運転−
冷房運転の際、例えば、利用ユニット３ａ、３ｂ、３ｃ、３ｄの全てが冷房運転（すなわち、利用側熱交換器５２ａ、５２ｂ、５２ｃ、５２ｄの全てが冷媒の蒸発器として機能する運転）を行い、主熱源側熱交換器としての熱源側熱交換器２４、２５が冷媒の放熱器として機能する際、空気調和装置１の冷媒回路１０は、図３に示されるように構成される（冷媒の流れについては、図３の冷媒回路１０に付された矢印を参照）。
【００６６】
具体的には、熱源ユニット２においては、第１熱交切換機構２２を放熱運転状態（図３の第１熱交切換機構２２の実線で示された状態）に切り換え、第２熱交切換機構２３を放熱運転状態（図３の第２熱交切換機構２３の実線で示された状態）に切り換えることによって、熱源側熱交換器２４、２５を冷媒の放熱器として機能させるようになっている。また、高低圧切換機構３０を蒸発負荷運転状態（図３の高低圧切換機構３０の実線で示された状態）に切り換えている。また、熱源側流量調節弁２６、２７は、開度調節され、レシーバ入口開閉弁２８ｃは、開状態になっている。また、冷媒冷却側流量調節弁３７は、開度調節されて、予冷熱交換器３５に圧縮機２１から吐出される高圧のガス冷媒が流れるようになっている。また、吸入戻し側流量調節弁４７は、開度調節されて、過冷却熱交換器４５がレシーバ出口管２８ｂを流れる冷媒の冷却器として機能するようになっている。さらに、ここでは、冷媒の放熱器として機能する利用側熱交換器が存在しない運転であるため、ガス抜き側流量調節弁４２は、後述のように、全閉状態（開度０％）に開度調節されており、これにより、レシーバガス抜き管４１を通じてレシーバ２８からガス冷媒を圧縮機２１の吸入側に抜き出さないようになっている。接続ユニット４ａ、４ｂ、４ｃ、４ｄにおいては、高圧ガス開閉弁６６ａ、６６ｂ、６６ｃ、６６ｄ、及び、低圧ガス開閉弁６７ａ、６７ｂ、６７ｃ、６７ｄを開状態にすることによって、利用ユニット３ａ、３ｂ、３ｃ、３ｄの利用側熱交換器５２ａ、５２ｂ、５２ｃ、５２ｄの全てを冷媒の蒸発器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吸入側とが高低圧ガス冷媒連絡管８及び低圧ガス冷媒連絡管９を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００６７】
このような冷媒回路１０において、圧縮機２１で圧縮され吐出された高圧のガス冷媒は、熱交切換機構２２、２３を通じて、主熱源側熱交換器としての熱源側熱交換器２４、２５に送られる。また、圧縮機２１で圧縮され吐出された高圧のガス冷媒は、冷媒加熱器４４を介して、予冷熱交換器３５にも送られる。そして、熱源側熱交換器２４、２５に送られた高圧のガス冷媒は、熱源側熱交換器２４、２５において、室外ファン３４によって供給される熱源としての室外空気と熱交換を行うことによって放熱する。そして、熱源側熱交換器２４、２５において放熱した冷媒は、熱源側流量調節弁２６、２７において流量調節された後、合流して、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。そして、レシーバ２８に送られた冷媒は、レシーバ２８内に一時的に溜められた後、レシーバ出口管２８ｂに送られ、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｃ及び液側閉鎖弁３１を通じて、液冷媒連絡管７に送られる。一方、過冷却熱交換器４５で熱交換を行った後の吸入戻し管４６を流れる冷媒は、圧縮機２１の吸入側に戻される。
【００６８】
そして、液冷媒連絡管７に送られた冷媒は、４つに分岐されて、各接続ユニット４ａ、４ｂ、４ｃ、４ｄの液接続管６１ａ、６１ｂ、６１ｃ、６１ｄに送られる。そして、液接続管６１ａ、６１ｂ、６１ｃ、６１ｄに送られた冷媒は、利用ユニット３ａ、３ｂ、３ｃ、３ｄの利用側流量調節弁５１ａ、５１ｂ、５１ｃ、５１ｄに送られる。
【００６９】
そして、利用側流量調節弁５１ａ、５１ｂ、５１ｃ、５１ｄに送られた冷媒は、利用側流量調節弁５１ａ、５１ｂ、５１ｃ、５１ｄにおいて流量調節された後、利用側熱交換器５２ａ、５２ｂ、５２ｃ、５２ｄにおいて、室内ファン５３ａ、５３ｂ、５３ｃ、５３ｄによって供給される室内空気と熱交換を行うことによって蒸発して低圧のガス冷媒となる。一方、室内空気は、冷却されて室内に供給されて、利用ユニット３ａ、３ｂ、３ｃ、３ｄの冷房運転が行われる。そして、低圧のガス冷媒は、接続ユニット４ａ、４ｂ、４ｃ、４ｄの合流ガス接続管６５ａ、６５ｂ、６５ｃ、６５ｄに送られる。
【００７０】
そして、合流ガス接続管６５ａ、６５ｂ、６５ｃ、６５ｄに送られた低圧のガス冷媒は、高圧ガス開閉弁６６ａ、６６ｂ、６６ｃ、６６ｄ及び高圧ガス接続管６３ａ、６３ｂ、６３ｃ、６３ｄを通じて、高低圧ガス冷媒連絡管８に送られて合流するとともに、低圧ガス開閉弁６７ａ、６７ｂ、６７ｃ、６７ｄ及び低圧ガス接続管６４ａ、６４ｂ、６４ｃ、６４ｄを通じて、低圧ガス冷媒連絡管９に送られて合流する。
【００７１】
そして、ガス冷媒連絡管８、９に送られた低圧のガス冷媒は、ガス側閉鎖弁３２、３３及び高低圧切換機構３０を通じて、圧縮機２１の吸入側に戻される。
【００７２】
このようにして、冷房運転における動作が行われる。尚、利用ユニット３ａ、３ｂ、３ｃ、３ｄのいくつかが冷房運転（すなわち、利用側熱交換器５２ａ、５２ｂ、５２ｃ、５２ｄのいくつかが冷媒の蒸発器として機能する運転）を行う等によって、利用側熱交換器５２ａ、５２ｂ、５２ｃ、５２ｄ全体の蒸発負荷が小さくなる場合には、熱源側熱交換器２４、２５の一方（例えば、第１熱源側熱交換器２４）だけを冷媒の放熱器として機能させる運転が行われる。
【００７３】
−暖房運転−
暖房運転の際、例えば、利用ユニット３ａ、３ｂ、３ｃ、３ｄの全てが暖房運転（すなわち、利用側熱交換器５２ａ、５２ｂ、５２ｃ、５２ｄの全てが冷媒の放熱器として機能する運転）を行い、主熱源側熱交換器としての熱源側熱交換器２４、２５が冷媒の蒸発器として機能する際、空気調和装置１の冷媒回路１０は、図４に示されるように構成される（冷媒の流れについては、図４の冷媒回路１０に付された矢印を参照）。
【００７４】
具体的には、熱源ユニット２においては、第１熱交切換機構２２を蒸発運転状態（図４の第１熱交切換機構２２の破線で示された状態）に切り換え、第２熱交切換機構２３を蒸発運転状態（図４の第２熱交切換機構２３の破線で示された状態）に切り換えることによって、熱源側熱交換器２４、２５を冷媒の蒸発器として機能させるようになっている。また、高低圧切換機構３０を放熱負荷運転状態（図４の高低圧切換機構３０の破線で示された状態）に切り換えている。また、熱源側流量調節弁２６、２７は、開度調節され、レシーバ入口開閉弁２８ｃは、開状態になっている。また、冷媒冷却側流量調節弁３７は、開度調節されて、予冷熱交換器３５に圧縮機２１から吐出される高圧のガス冷媒が流れるようになっている。また、吸入戻し側流量調節弁４７は、開度調節されて、過冷却熱交換器４５がレシーバ出口管２８ｂを流れる冷媒の冷却器として機能するようになっている。さらに、ここでは、冷媒の放熱器として機能する利用側熱交換器５２ａ、５２ｂ、５２ｃ、５２ｄが存在する運転であるため、ガス抜き側流量調節弁４２は、後述のように、利用側流量調節弁５１ａ、５１ｂ、５１ｃ、５１ｄの制御状況に応じて開度調節されて、レシーバガス抜き管４１を通じてレシーバ２８からガス冷媒を圧縮機２１の吸入側に抜き出すようになっている。接続ユニット４ａ、４ｂ、４ｃ、４ｄにおいては、高圧ガス開閉弁６６ａ、６６ｂ、６６ｃ、６６ｄを開状態にし、低圧ガス開閉弁６７ａ、６７ｂ、６７ｃ、６７ｄを閉状態にすることによって、利用ユニット３ａ、３ｂ、３ｃ、３ｄの利用側熱交換器５２ａ、５２ｂ、５２ｃ、５２ｄの全てを冷媒の放熱器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、後述のように、利用側熱交換器５２ａ、５２ｂ、５２ｃ、５２ｄの出口における冷媒の過冷却度ＳＣに基づいて開度を制御する過冷却度制御によって、開度調節されている。
【００７５】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、冷媒加熱器４４にも送られる。ここで、ガス抜き側流量調節弁４２が開状態に開度調節されている場合には、レシーバガス抜き管４１を通じてレシーバ２８からガス冷媒が抜き出されるため、冷媒加熱器４４に送られた高圧のガス冷媒は、レシーバガス抜き管４１を流れる冷媒と熱交換を行うことによって冷却される。一方、レシーバガス抜き管４１を流れるガス冷媒は、加熱されて、圧縮機２１の吸入側に戻される。そして、冷媒加熱器４４において冷却された冷媒は、予冷熱交換器３５に送られる。予冷熱交換器３５に送られた高圧の冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【００７６】
そして、高低圧ガス冷媒連絡管８に送られた高圧のガス冷媒は、４つに分岐されて、各接続ユニット４ａ、４ｂ、４ｃ、４ｄの高圧ガス接続管６３ａ、６３ｂ、６３ｃ、６３ｄに送られる。高圧ガス接続管６３ａ、６３ｂ、６３ｃ、６３ｄに送られた高圧のガス冷媒は、高圧ガス開閉弁６６ａ、６６ｂ、６６ｃ、６６ｄ及び合流ガス接続管６５ａ、６５ｂ、６５ｃ、６５ｄを通じて、利用ユニット３ａ、３ｂ、３ｃ、３ｄの利用側熱交換器５２ａ、５２ｂ、５２ｃ、５２ｄに送られる。
【００７７】
そして、利用側熱交換器５２ａ、５２ｂ、５２ｃ、５２ｄに送られた高圧のガス冷媒は、利用側熱交換器５２ａ、５２ｂ、５２ｃ、５２ｄにおいて、室内ファン５３ａ、５３ｂ、５３ｃ、５３ｄによって供給される室内空気と熱交換を行うことによって放熱する。一方、室内空気は、加熱されて室内に供給されて、利用ユニット３ａ、３ｂ、３ｃ、３ｄの暖房運転が行われる。利用側熱交換器５２ａ、５２ｂ、５２ｃ、５２ｄにおいて放熱した冷媒は、利用側流量調節弁５１ａ、５１ｂ、５１ｃ、５１ｄにおいて流量調節された後、接続ユニット４ａ、４ｂ、４ｃ、４ｄの液接続管６１ａ、６１ｂ、６１ｃ、６１ｄに送られる。
【００７８】
そして、液接続管６１ａ、６１ｂ、６１ｃ、６１ｄに送られた冷媒は、液冷媒連絡管７に送られて合流する。
【００７９】
そして、液冷媒連絡管７に送られた冷媒は、液側閉鎖弁３１、入口逆止弁２９ｂ及びレシーバ入口開閉弁２８ｃを通じて、レシーバ２８に送られる。ここで、ガス抜き側流量調節弁４２が開状態に開度調節されている場合には、レシーバ２８に送られた冷媒は、レシーバ２８内に一時的に溜められて気液分離された後、ガス冷媒は、レシーバガス抜き管４１を通じて圧縮機２１の吸入側に抜き出され、液冷媒は、レシーバ出口管２８ｂに送られる。レシーバ出口管２８ｂに送られた冷媒は、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｄを通じて、熱源側流量調節弁２６、２７の両方に送られる。そして、熱源側流量調節弁２６、２７に送られた冷媒は、熱源側流量調節弁２６、２７において流量調節された後、熱源側熱交換器２４、２５において、室外ファン３４によって供給される室外空気と熱交換を行うことによって蒸発して低圧のガス冷媒になり、熱交切換機構２２、２３に送られる。そして、熱交切換機構２２、２３に送られた低圧のガス冷媒は、合流して、圧縮機２１の吸入側に戻される。
【００８０】
このようにして、暖房運転における動作が行われる。尚、利用ユニット３ａ、３ｂ、３ｃ、３ｄのいくつかが暖房運転（すなわち、利用側熱交換器５２ａ、５２ｂ、５２ｃ、５２ｄのいくつかが冷媒の放熱器として機能する運転）を行う等によって、利用側熱交換器５２ａ、５２ｂ、５２ｃ、５２ｄ全体の放熱負荷が小さくなる場合には、熱源側熱交換器２４、２５の一方（例えば、第１熱源側熱交換器２４）だけを冷媒の蒸発器として機能させる運転が行われる。
【００８１】
−冷暖同時運転（蒸発負荷主体）−
冷暖同時運転（蒸発負荷主体）の際、例えば、利用ユニット３ａ、３ｂ、３ｃが冷房運転し、かつ、利用ユニット３ｄが暖房運転し（すなわち、利用側熱交換器５２ａ、５２ｂ、５２ｃが冷媒の蒸発器として機能し、かつ、利用側熱交換器５２ｄが冷媒の放熱器として機能する運転）を行い、主熱源側熱交換器としての第１熱源側熱交換器２４が冷媒の放熱器として機能する際、空気調和装置１の冷媒回路１０は、図５に示されるように構成される（冷媒の流れについては、図５の冷媒回路１０に付された矢印を参照）。
【００８２】
具体的には、熱源ユニット２においては、第１熱交切換機構２２を放熱運転状態（図５の第１熱交切換機構２２の実線で示された状態）に切り換えることによって、第１熱源側熱交換器２４だけを冷媒の放熱器として機能させるようになっている。また、高低圧切換機構３０を放熱負荷運転状態（図５の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、ここでは、冷媒の放熱器として機能する利用側熱交換器５２ｄが存在する運転であるため、ガス抜き側流量調節弁４２は、後述のように、利用側流量調節弁５１ａ、５１ｂ、５１ｃ、５１ｄの制御状況に応じて開度調節されるのであるが、液冷媒連絡管７を介して利用ユニット３ａ、３ｂ、３ｃ、３ｄから熱源ユニット２に冷媒が送られる運転状態ではないため、結果的に、全閉状態（開度０％）に開度調節されており、これにより、レシーバガス抜き管４１を通じてレシーバ２８からガス冷媒を圧縮機２１の吸入側に抜き出さないようになっている。接続ユニット４ａ、４ｂ、４ｃ、４ｄにおいては、高圧ガス開閉弁６６ｄ、及び、低圧ガス開閉弁６７ａ、６７ｂ、６７ｃを開状態にし、かつ、高圧ガス開閉弁６６ａ、６６ｂ、６６ｃ、及び、低圧ガス開閉弁６７ｄを閉状態にすることによって、利用ユニット３ａ、３ｂ、３ｃの利用側熱交換器５２ａ、５２ｂ、５２ｃを冷媒の蒸発器として機能させ、かつ、利用ユニット３ｄの利用側熱交換器５２ｄを冷媒の放熱器として機能させるとともに、利用ユニット３ａ、３ｂ、３ｃの利用側熱交換器５２ａ、５２ｂ、５２ｃと熱源ユニット２の圧縮機２１の吸入側とが低圧ガス冷媒連絡管９を介して接続された状態になり、かつ、利用ユニット３ｄの利用側熱交換器５２ｄと熱源ユニット２の圧縮機２１の吐出側とが高低圧ガス冷媒連絡管８を介して接続された状態になっている。冷房運転を行う利用ユニット３ａ、３ｂ、３ｃにおいては、利用側流量調節弁５１ａ、５１ｂ、５１ｃは、開度調節され、暖房運転を行う利用ユニット３ｄにおいては、利用側流量調節弁５１ｄは、後述のように、利用側熱交換器５２ｄの出口における冷媒の過冷却度ＳＣに基づいて開度を制御する過冷却度制御によって、開度調節されている。
【００８３】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、第１熱交切換機構２２を通じて、第１熱源側熱交換器２４に送られる。また、圧縮機２１で圧縮され吐出された高圧のガス冷媒は、冷媒加熱器４４を介して、予冷熱交換器３５にも送られる。
【００８４】
そして、高低圧ガス冷媒連絡管８に送られた高圧のガス冷媒は、接続ユニット４ｄの高圧ガス接続管６３ｄに送られる。高圧ガス接続管６３ｄに送られた高圧のガス冷媒は、高圧ガス開閉弁６６ｄ及び合流ガス接続管６５ｄを通じて、利用ユニット３ｄの利用側熱交換器５２ｄに送られる。
【００８５】
そして、利用側熱交換器５２ｄに送られた高圧のガス冷媒は、利用側熱交換器５２ｄにおいて、室内ファン５３ｄによって供給される室内空気と熱交換を行うことによって放熱する。一方、室内空気は、加熱されて室内に供給されて、利用ユニット３ｄの暖房運転が行われる。利用側熱交換器５２ｄにおいて放熱した冷媒は、利用側流量調節弁５１ｄにおいて流量調節された後、接続ユニット４ｄの液接続管６１ｄに送られる。
【００８６】
また、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６において流量調節された後、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。そして、レシーバ２８に送られた冷媒は、レシーバ２８内に一時的に溜められた後、レシーバ出口管２８ｂに送られ、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｃ及び液側閉鎖弁３１を通じて、液冷媒連絡管７に送られる。一方、過冷却熱交換器４５で熱交換を行った後の吸入戻し管４６を流れる冷媒は、圧縮機２１の吸入側に戻される。
【００８７】
そして、利用側熱交換器５２ｄにおいて放熱して液接続管６１ｄに送られた冷媒は、液冷媒連絡管７に送られて、第１熱源側熱交換器２４において放熱して液冷媒連絡管７に送られた冷媒と合流する。
【００８８】
そして、液冷媒連絡管７において合流した冷媒は、３つに分岐されて、各接続ユニット４ａ、４ｂ、４ｃの液接続管６１ａ、６１ｂ、６１ｃに送られる。そして、液接続管６１ａ、６１ｂ、６１ｃに送られた冷媒は、利用ユニット３ａ、３ｂ、３ｃの利用側流量調節弁５１ａ、５１ｂ、５１ｃに送られる。
【００８９】
そして、利用側流量調節弁５１ａ、５１ｂ、５１ｃに送られた冷媒は、利用側流量調節弁５１ａ、５１ｂ、５１ｃにおいて流量調節された後、利用側熱交換器５２ａ、５２ｂ、５２ｃにおいて、室内ファン５３ａ、５３ｂ、５３ｃによって供給される室内空気と熱交換を行うことによって蒸発して低圧のガス冷媒となる。一方、室内空気は、冷却されて室内に供給されて、利用ユニット３ａ、３ｂ、３ｃの冷房運転が行われる。そして、低圧のガス冷媒は、接続ユニット４ａ、４ｂ、４ｃの合流ガス接続管６５ａ、６５ｂ、６５ｃに送られる。
【００９０】
そして、合流ガス接続管６５ａ、６５ｂ、６５ｃに送られた低圧のガス冷媒は、低圧ガス開閉弁６７ａ、６７ｂ、６７ｃ及び低圧ガス接続管６４ａ、６４ｂ、６４ｃを通じて、低圧ガス冷媒連絡管９に送られて合流する。
【００９１】
そして、低圧ガス冷媒連絡管９に送られた低圧のガス冷媒は、ガス側閉鎖弁３３を通じて、圧縮機２１の吸入側に戻される。
【００９２】
このようにして、冷暖同時運転（蒸発負荷主体）における動作が行われる。尚、冷房運転を行う利用ユニット（すなわち、冷媒の蒸発器として機能する利用側熱交換器）の数が少なくなる等によって、利用側熱交換器５２ａ、５２ｂ、５２ｃ、５２ｄ全体の蒸発負荷が小さくなる場合には、第２熱源側熱交換器２５を冷媒の蒸発器として機能させることで、第１熱源側熱交換器２４の放熱負荷と第２熱源側熱交換器２５との蒸発負荷とを相殺して熱源側熱交換器２４、２５全体の放熱負荷を小さくする運転が行われる。
【００９３】
−冷暖同時運転（放熱負荷主体）−
冷暖同時運転（放熱負荷主体）の際、例えば、利用ユニット３ａ、３ｂ、３ｃが暖房運転し、かつ、利用ユニット３ｄが冷房運転し（すなわち、利用側熱交換器５２ａ、５２ｂ、５２ｃが冷媒の放熱器として機能し、かつ、利用側熱交換器５２ｄが冷媒の蒸発器として機能する運転）を行い、主熱源側熱交換器としての第１熱源側熱交換器２４だけが冷媒の蒸発器として機能する際、空気調和装置１の冷媒回路１０は、図６に示されるように構成される（冷媒の流れについては、図６の冷媒回路１０に付された矢印を参照）。
【００９４】
具体的には、熱源ユニット２においては、第１熱交切換機構２２を蒸発運転状態（図６の第１熱交切換機構２２の破線で示された状態）に切り換えることによって、第１熱源側熱交換器２４だけを冷媒の蒸発器として機能させるようになっている。また、高低圧切換機構３０を放熱負荷運転状態（図６の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、ここでは、冷媒の放熱器として機能する利用側熱交換器５２ａ、５２ｂ、５２ｃが存在する運転であるため、ガス抜き側流量調節弁４２は、後述のように、利用側流量調節弁５１ａ、５１ｂ、５１ｃの制御状況に応じて開度調節されて、レシーバガス抜き管４１を通じてレシーバ２８からガス冷媒を圧縮機２１の吸入側に抜き出すようになっている。接続ユニット４ａ、４ｂ、４ｃ、４ｄにおいては、高圧ガス開閉弁６６ａ、６６ｂ、６６ｃ、及び、低圧ガス開閉弁６７ｄを開状態にし、かつ、高圧ガス開閉弁６６ｄ、及び、低圧ガス開閉弁６７ａ、６７ｂ、６７ｃを閉状態にすることによって、利用ユニット３ａ、３ｂ、３ｃの利用側熱交換器５２ａ、５２ｂ、５２ｃを冷媒の放熱器として機能させ、かつ、利用ユニット３ｄの利用側熱交換器５２ｄを冷媒の蒸発器として機能させるとともに、利用ユニット３ｄの利用側熱交換器５２ｄと熱源ユニット２の圧縮機２１の吸入側とが低圧ガス冷媒連絡管９を介して接続された状態になり、かつ、利用ユニット３ａ、３ｂ、３ｃの利用側熱交換器５２ａ、５２ｂ、５２ｃと熱源ユニット２の圧縮機２１の吐出側とが高低圧ガス冷媒連絡管８を介して接続された状態になっている。冷房運転を行う利用ユニット３ｄにおいては、利用側流量調節弁５１ｄは、開度調節され、暖房運転を行う利用ユニット３ａ、３ｂ、３ｃにおいては、利用側流量調節弁５１ａ、５１ｂ、５１ｃは、後述のように、利用側熱交換器５２ａ、５２ｂ、５２ｃの出口における冷媒の過冷却度ＳＣに基づいて開度を制御する過冷却度制御によって、開度調節されている。
【００９５】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、冷媒加熱器４４にも送られる。ここで、ガス抜き側流量調節弁４２が開状態に開度調節されている場合には、レシーバガス抜き管４１を通じてレシーバ２８からガス冷媒が抜き出されるため、冷媒加熱器４４に送られた高圧のガス冷媒は、レシーバガス抜き管４１を流れる冷媒と熱交換を行うことによって冷却される。一方、レシーバガス抜き管４１を流れるガス冷媒は、加熱されて、圧縮機２１の吸入側に戻される。そして、冷媒加熱器４４において冷却された冷媒は、予冷熱交換器３５に送られる。予冷熱交換器３５に送られた高圧の冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【００９６】
そして、高低圧ガス冷媒連絡管８に送られた高圧のガス冷媒は、３つに分岐されて、各接続ユニット４ａ、４ｂ、４ｃの高圧ガス接続管６３ａ、６３ｂ、６３ｃに送られる。高圧ガス接続管６３ａ、６３ｂ、６３ｃに送られた高圧のガス冷媒は、高圧ガス開閉弁６６ａ、６６ｂ、６６ｃ及び合流ガス接続管６５ａ、６５ｂ、６５ｃを通じて、利用ユニット３ａ、３ｂ、３ｃの利用側熱交換器５２ａ、５２ｂ、５２ｃに送られる。
【００９７】
そして、利用側熱交換器５２ａ、５２ｂ、５２ｃに送られた高圧のガス冷媒は、利用側熱交換器５２ａ、５２ｂ、５２ｃにおいて、室内ファン５３ａ、５３ｂ、５３ｃによって供給される室内空気と熱交換を行うことによって放熱する。一方、室内空気は、加熱されて室内に供給されて、利用ユニット３ａ、３ｂ、３ｃの暖房運転が行われる。利用側熱交換器５２ａ、５２ｂ、５２ｃにおいて放熱した冷媒は、利用側流量調節弁５１ａ、５１ｂ、５１ｃにおいて流量調節された後、接続ユニット４ａ、４ｂ、４ｃの液接続管６１ａ、６１ｂ、６１ｃに送られる。
【００９８】
そして、液接続管６１ａ、６１ｂ、６１ｃ、６１ｄに送られた冷媒は、液冷媒連絡管７に送られて合流する。
【００９９】
液冷媒連絡管７において合流した冷媒は、その一部が、接続ユニット４ｄの液接続管６１ｄに送られ、残りが、液側閉鎖弁３１、入口逆止弁２９ｂ及びレシーバ入口開閉弁２８ｃを通じて、レシーバ２８に送られる。
【０１００】
そして、接続ユニット４ｄの液接続管６１ｄに送られた冷媒は、利用ユニット３ｄの利用側流量調節弁５１ｄに送られる。
【０１０１】
そして、利用側流量調節弁５１ｄに送られた冷媒は、利用側流量調節弁５１ｄにおいて流量調節された後、利用側熱交換器５２ｄにおいて、室内ファン５３ｄによって供給される室内空気と熱交換を行うことによって蒸発して低圧のガス冷媒となる。一方、室内空気は、冷却されて室内に供給されて、利用ユニット３ｄの冷房運転が行われる。そして、低圧のガス冷媒は、接続ユニット４ｄの合流ガス接続管６５ｄに送られる。
【０１０２】
そして、合流ガス接続管６５ｄに送られた低圧のガス冷媒は、低圧ガス開閉弁６７ｄ及び低圧ガス接続管６４ｄを通じて、低圧ガス冷媒連絡管９に送られる。
【０１０３】
そして、低圧ガス冷媒連絡管９に送られた低圧のガス冷媒は、ガス側閉鎖弁３３を通じて、圧縮機２１の吸入側に戻される。
【０１０４】
また、ここで、ガス抜き側流量調節弁４２が開状態に開度調節されている場合には、レシーバ２８に送られた冷媒は、レシーバ２８内に一時的に溜められて気液分離された後、ガス冷媒は、レシーバガス抜き管４１を通じて圧縮機２１の吸入側に抜き出され、液冷媒は、レシーバ出口管２８ｂに送られる。レシーバ出口管２８ｂに送られた冷媒は、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｄを通じて、第１熱源側流量調節弁２６に送られる。そして、第１熱源側流量調節弁２６に送られた冷媒は、第１熱源側流量調節弁２６において流量調節された後、第１熱源側熱交換器２４において、室外ファン３４によって供給される室外空気と熱交換を行うことによって蒸発して低圧のガス冷媒になり、第１熱交切換機構２２に送られる。そして、第１熱交切換機構２２に送られた低圧のガス冷媒は、低圧ガス冷媒連絡管９及びガス側閉鎖弁３３を通じて圧縮機２１の吸入側に戻される低圧のガス冷媒と合流して、圧縮機２１の吸入側に戻される。
【０１０５】
このようにして、冷暖同時運転（放熱負荷主体）における動作が行われる。尚、暖房運転を行う利用ユニット（すなわち、冷媒の放熱器として機能する利用側熱交換器）の数が少なくなる等によって、利用側熱交換器５２ａ、５２ｂ、５２ｃ、５２ｄ全体の放熱負荷が小さくなる場合には、第２熱源側熱交換器２５を冷媒の放熱器として機能させることで、第１熱源側熱交換器２４の蒸発負荷と第２熱源側熱交換器２５との放熱負荷とを相殺して熱源側熱交換器２４、２５全体の蒸発負荷を小さくする運転が行われる。
【０１０６】
−利用側流量調節弁による過冷却度制御−
上記の各種冷凍サイクル運転のうち冷房運転を除く運転（暖房運転及び冷暖同時運転）においては、利用側熱交換器５２ａ、５２ｂ、５２ｃ、５２ｄの少なくとも１つを冷媒の放熱器として機能させる運転、すなわち、利用ユニット３ａ、３ｂ、３ｃ、３ｄの少なくとも１つが暖房運転を行っている。そして、暖房運転を行う利用ユニットにおいては、利用側熱交換器５２ａ、５２ｂ、５２ｃ、５２ｄの出口における冷媒の過冷却度ＳＣに基づいて利用側流量調節弁５１ａ、５１ｂ、５１ｃ、５１ｄの開度ＭＶを制御する過冷却度制御が行われるようになっている。そして、この過冷却度制御によって、暖房運転を行う利用ユニット３ａ、３ｂ、３ｃ、３ｄの利用側熱交換器５２ａ、５２ｂ、５２ｃ、５２ｄを流れる冷媒の流量を調節し、所望の暖房能力を確保するようにしている。
【０１０７】
具体的には、この過冷却度制御では、冷媒の放熱器として機能する利用側熱交換器５２ａ、５２ｂ、５２ｃ、５２ｄの出口における過冷却度ＳＣが目標過冷却度ＳＣｔに近づくように、利用側流量調節弁５１ａ、５１ｂ、５１ｃ、５１ｄの開度ＭＶを制御する。ここで、利用側熱交換器５２ａ、５２ｂ、５２ｃ、５２ｄの出口における冷媒の過冷却度ＳＣは、吐出圧力センサ７３によって検出される圧縮機２１の吐出側における冷媒の圧力を飽和温度に換算して得られる凝縮温度Ｔｃから液側温度センサ８２ａ、８２ｂ、８２ｃ、８２ｄによって検出される利用側熱交換器５２ａ、５２ｂ、５２ｃ、５２ｄの液側における冷媒の温度Ｔｉｒｌを差し引くことによって得られる。目標過冷却度ＳＣｔは、利用側熱交換器５２ａ、５２ｂ、５２ｃ、５２ｄの熱交換性能を発揮するのに適した値に設定される。そして、過冷却度ＳＣが目標過冷却度ＳＣｔよりも大きい場合には、利用側流量調節弁５１ａ、５１ｂ、５１ｃ、５１ｄの開度ＭＶを、過冷却度制御における可変幅の範囲内で大きくする制御を行う。また、過冷却度ＳＣが目標過冷却度ＳＣｔよりも小さい場合には、利用側流量調節弁５１ａ、５１ｂ、５１ｃ、５１ｄの開度ＭＶを、過冷却度制御における可変幅の範囲内で小さくする制御を行う。ここで、過冷却度制御における利用側流量調節弁５１ａ、５１ｂ、５１ｃ、５１ｄの開度ＭＶの可変幅は、全閉状態に近い過冷却度制御下限開度ＭＶｍ（例えば、開度０％〜数％）から全開状態に近い過冷却度制御上限開度ＭＶｘ（例えば、開度１００％）までの範囲である。このため、過冷却度制御においては、冷媒の放熱器として機能する利用側熱交換器５２ａ、５２ｂ、５２ｃ、５２ｄの出口における過冷却度ＳＣが目標過冷却度ＳＣｔに近づくように、各利用側流量調節弁５１ａ、５１ｂ、５１ｃ、５１ｄの開度ＭＶを、過冷却度制御下限開度ＭＶｍから過冷却度制御上限開度ＭＶｘの可変幅の範囲内で制御することになる。
【０１０８】
−液圧損が大きい場合のレシーバガス抜き制御−
上記のように、冷暖同時運転型空気調和装置１では、利用側熱交換器５２ａ、５２ｂ、５２ｃ、５２ｄの少なくとも１つを冷媒の放熱器として機能させる運転（ここでは、暖房運転及び冷暖同時運転）において、利用側流量調節弁５１ａ、５１ｂ、５１ｃ、５１ｄによる過冷却度制御が行われている。
【０１０９】
しかし、冷暖同時運転型空気調和装置１の設置条件や施工状況によって液冷媒連絡管７の長さ等が異なるため、利用ユニット３ａ、３ｂ、３ｃ、３ｄの少なくとも１つが暖房運転を行う際に液冷媒連絡管７を流れる液冷媒の圧損（液圧損）が大きくなる場合がある。このため、液冷媒連絡管７を介して利用ユニット３ａ、３ｂ、３ｃ、３ｄから熱源ユニット２に送られる液冷媒は、この液圧損に応じて圧力が低下して、液飽和の状態でレシーバ２８に流入することになり、利用側熱交換器５２ａ、５２ｂ、５２ｃ、５２ｄの出口における冷媒は、この液圧損に応じて過冷却度ＳＣが大きくなってしまう。例えば、ガス抜き側流量調節弁４２を全閉状態（開度０％）に開度調節した状態で、利用ユニット３ａ、３ｂ、３ｃ、３ｄが暖房運転を行うと、図７のモリエル線図上に示された冷凍サイクルのようになる。ここで、液冷媒連絡管７を介して利用ユニット３ａ、３ｂ、３ｃ、３ｄから熱源ユニット２に送られる液冷媒は、図７の点Ｄに示すように、液圧損に応じて圧力が低下して、液飽和の状態でレシーバ２８に溜まることになる。そして、利用側熱交換器５２ａ、５２ｂ、５２ｃ、５２ｄの出口における冷媒は、図７の点Ｃに示すように、液圧損に応じて過冷却度ＳＣが大きくなってしまう。そして、利用側熱交換器５２ａ、５２ｂ、５２ｃ、５２ｄの出口における冷媒の過冷却度ＳＣが利用側流量調節弁５１ａ、５１ｂ、５１ｃ、５１ｄの可変幅を超えて過冷却度制御を行えなくなる程に過大になってしまうと、利用側熱交換器５２ａ、５２ｂ、５２ｃ、５２ｄの放熱能力が低下してしまい、利用ユニット３ａ、３ｂ、３ｃ、３ｄにおける暖房能力が低下してしまうおそれがある。すなわち、利用側流量調節弁５１ａ、５１ｂ、５１ｃ、５１ｄが過冷却度制御を行うことが可能な条件を過冷却度制御正常条件とすると、液圧損によって過冷却度制御正常条件を満たなくなると、利用側熱交換器５２ａ、５２ｂ、５２ｃ、５２ｄの出口における冷媒の過冷却度ＳＣが所望の過冷却度（ここでは、目標過冷却度ＳＣｔ）よりも過大になり、利用側流量調節弁５１ａ、５１ｂ、５１ｃ、５１ｄの開度ＭＶを制御するだけでは、利用側熱交換器５２ａ、５２ｂ、５２ｃ、５２ｄの出口における冷媒の過冷却度ＳＣが所望の過冷却度（ここでは、目標過冷却度ＳＣｔ）まで小さくすることができない状況になってしまうのである。
【０１１０】
そして、このような状況を解消するためには、利用ユニット３ａ、３ｂ、３ｃ、３ｄの少なくとも１つが暖房運転を行う際に液冷媒連絡管７を流れる液冷媒の圧損（液圧損）が大きくなって過冷却度制御正常条件を満たさなくなる場合に、レシーバ２８に流入する冷媒の状態を気液二相状態にして、利用側熱交換器５２ａ、５２ｂ、５２ｃ、５２ｄの出口における冷媒の過冷却度ＳＣを小さくすることが必要である。
【０１１１】
そこで、ここでは、レシーバ２８に、レシーバ２８の上部と圧縮機２１の吸入側とを接続するレシーバガス抜き管４１を設け、レシーバガス抜き管４１に、開度調節が可能なガス抜き側流量調節弁４２を設け、過冷却度制御正常条件を満たすように、ガス抜き側流量調節弁４２の開度ＭＶを制御するようにしている。
【０１１２】
次に、ガス抜き側流量調節弁４２の開度制御について、図８及び図９を用いて説明する。ここで、図８は、ガス抜き側流量調節弁４２を開状態で暖房運転を行った場合の冷凍サイクルを示したモリエル線図であり、図９は、ガス抜き側流量調節弁４２の開度制御のフローチャートである。尚、ここで説明するガス抜き側流量調節弁４２の開度制御を含む各種動作は、制御部２０、５０ａ、５０ｂ、５０ｃ、５０ｄ、６０ａ、６０ｂ、６０ｃ、６０ｄによって行われる。
【０１１３】
まず、ステップＳＴ１において、過冷却度制御正常条件を満たすかどうかを判定する。すなわち、利用ユニット３ａ、３ｂ、３ｃ、３ｄの少なくとも１つが暖房運転（すなわち、利用側熱交換器５２ａ、５２ｂ、５２ｃ、５２ｄの少なくとも１つを冷媒の放熱器として機能させる運転）を行っており、暖房運転を行っている利用ユニット３ａ、３ｂ、３ｃ、３ｄの利用側流量調節弁５１ａ、５１ｂ、５１ｃ、５１ｄが過冷却度制御を行っている場合において、過冷却度制御正常条件を満たすかどうかを判定する。ここでは、過冷却度制御を行っている利用側流量調節弁５１ａ、５１ｂ、５１ｃ、５１ｄの開度ＭＶが過冷却度制御上限開度ＭＶｘ未満であるかどうかによって、過冷却度制御正常条件を満たすかどうかを判定するようにしている。すなわち、利用側流量調節弁５１ａ、５１ｂ、５１ｃ、５１ｄの開度ＭＶが過冷却度制御における上限開度である過冷却度制御上限開度ＭＶｘまで開いた状態になっている場合には、利用側流量調節弁５１ａ、５１ｂ、５１ｃ、５１ｄの可変幅を超えており、利用側熱交換器５２ａ、５２ｂ、５２ｃ、５２ｄの出口における冷媒の過冷却度ＳＣが過冷却度制御を行えなくなる程に過大になっているものとみなすようにしている。ここで、暖房運転を行っている利用ユニットが複数存在する場合には、各利用ユニットについて、過冷却度制御正常条件を満たすかどうかの判定を行う。
【０１１４】
次に、ステップＳＴ１において過冷却度制御正常条件を満たさないものと判定された場合には、ステップＳＴ２に移行する。そして、ステップＳＴ２においては、ガス抜き側流量調節弁４２の開度ＭＶを大きくする制御を行う。ここでは、ガス抜き側流量調節弁４２の現在開度ＭＶに第１開度変化分ΔＭＶ１を加えることによって、ガス抜き側流量調節弁４２の開度ＭＶを大きくする制御を行うようにしている。すると、ガス抜き側流量調節弁４２が全閉状態（開度ＭＶ＝０％）の場合には、レシーバガス抜き管４１を通じてレシーバ２８からガス冷媒が抜き出され始め、また、ガス抜き側流量調節弁４２が既に開いている場合には、レシーバガス抜き管４１を通じてレシーバ２８から抜き出されるガス冷媒の流量が増加するようになる。そして、このステップＳＴ２の処理を繰り返すと、図８の点Ｃ、Ｄに示すように、レシーバ２８に流入する冷媒の状態をガス冷媒が多い気液二相状態にして、利用側熱交換器５２ａ、５２ｂ、５２ｃ、５２ｄの出口における冷媒の過冷却度ＳＣを小さくし、利用側熱交換器５２ａ、５２ｂ、５２ｃ、５２ｄの出口における冷媒の過冷却度ＳＣが利用側流量調節弁５１ａ、５１ｂ、５１ｃ、５１ｄの可変幅を超えて過冷却度制御を行えなくなる程に過大になるのを防ぐ、すなわち、ステップＳＴ１における過冷却度制御正常条件を満たすようにするのである。
【０１１５】
次に、ステップＳＴ１において過冷却度制御正常条件を満たすものと判定された場合には、ステップＳＴ３に移行する。そして、ステップＳＴ３においては、ガス抜き側流量調節弁４２の開度ＭＶを小さくする制御を行う。ここでは、ガス抜き側流量調節弁４２の現在開度ＭＶから第２開度変化分ΔＭＶ２を差し引くことによって、ガス抜き側流量調節弁４２の開度ＭＶを小さくする制御を行うようにしている。すると、ガス抜き側流量調節弁４２が全閉状態（開度ＭＶ＝０％）の場合には、そのまま開度が全閉状態、すなわち、レシーバガス抜き管４１を通じてレシーバ２８からガス冷媒が抜き出されない状態が維持され、また、ステップＳＴ２の処理によってガス抜き側流量調節弁４２が既に開いている場合には、レシーバガス抜き管４１を通じてレシーバ２８から抜き出されるガス冷媒の流量が減少するようになる。そして、このステップＳＴ３の処理をステップＳＴ２の処理とともに繰り返すと、ステップＳＴ１の過冷却度制御正常条件を満たすかどうかによってガス抜き側流量調節弁４２を開閉制御することになり、ガス抜き側流量調節弁４２の開度ＭＶを、過冷却度制御正常条件を満たすために必要な最小限の開度で維持することができる。
【０１１６】
このように、ガス抜き側流量調節弁４２は、ステップＳＴ１の過冷却度制御正常条件を満たすかどうかによって、ステップＳＴ２、ＳＴ３の開閉制御がなされるようになっている。
【０１１７】
しかし、ガス抜き側流量調節弁４２を開けることでレシーバ２８からガス冷媒を抜き出すと、レシーバ２８内に溜まる液冷媒の液面が上昇して、満液近くまで上昇する場合もあり得る。
【０１１８】
そこで、ここでは、ステップＳＴ１、ＳＴ２、ＳＴ３の処理だけでなく、ステップＳＴ４、ＳＴ５の処理を行うようにしている。具体的には、レシーバ２８が所定液面Ｌ１（図２参照）まで達した場合には、ステップＳＴ１の過冷却度制御正常条件を満たすかどうかにかかわらず、すなわち、ステップＳＴ１の過冷却度制御正常条件を満たさない場合であっても、ガス抜き側流量調節弁４２の開度ＭＶを強制的に小さくする制御を行うようにしている。ここでは、ガス抜き側流量調節弁４２の現在開度ＭＶから第３開度変化分ΔＭＶ３を差し引くことによって、ガス抜き側流量調節弁４２の開度ＭＶを小さくする制御を行うようにしている。ここで、第３開度変化分ΔＭＶ３は、ガス抜き量を大幅に制限できるようにするために、第１開度変化分ΔＭＶ１や第２開度変化分ΔＭＶ２よりも大きな値に設定することが好ましい。
【０１１９】
尚、レシーバ２８が所定液面Ｌ１に達したかどうかの判定は、液面センサ等の種々の手法が採用可能であるが、ここでは、レシーバ液面検知管４３を使用している。このレシーバ液面検知管４３によるレシーバ２８内の液面検知は、以下のようにして行う。まず、レシーバ液面検知管４３は、ガス抜き側流量調節弁４２が開状態になると、図２、図４及び図６に示すように、レシーバ２８の所定の高さ位置Ｌ１から冷媒を抜き出す。ここで、レシーバ液面検知管４３から抜き出された冷媒は、レシーバ２８内の液面が所定の高さ位置Ｌ１よりも低い場合は、ガス状態となり、レシーバ２８内の液面が所定の高さ位置Ｌ１以上である場合は、液状態となる。
【０１２０】
次に、レシーバ液面検知管４３から抜き出された冷媒は、図４及び図６に示すように、レシーバガス抜き管４１から抜き出された冷媒と合流する。ここで、レシーバガス抜き管４１から抜き出された冷媒は、レシーバ２８内の液面が高さ位置Ｌ２（図２参照）より低い場合には、ガス状態である。このため、レシーバ液面検知管４３から抜き出された冷媒がガス状態である場合には、レシーバガス抜き管４１から抜き出された冷媒と合流した後にレシーバガス抜き管４１を流れる冷媒も、ガス状態となる。一方、レシーバ液面検知管４３から抜き出された冷媒が液状態である場合には、レシーバガス抜き管４１から抜き出された冷媒と合流した後にレシーバガス抜き管４１を流れる冷媒は、ガス冷媒に液冷媒が混入した気液二相状態となる。そして、レシーバ液面検知管４３から抜き出された冷媒が合流した後のレシーバガス抜き管４１を流れる冷媒は、ガス抜き側流量調節弁４２によって圧縮機２１の吸入側における冷媒の圧力近くまで減圧される。このガス抜き側流量調節弁４２による減圧操作によって、レシーバガス抜き管４１を流れる冷媒は、減圧操作前の冷媒の状態に応じた温度降下が発生することになる。すなわち、レシーバガス抜き管４１を流れる冷媒がガス状態である場合には、減圧操作による温度降下は小さく、気液二相状態である場合には、減圧操作による温度降下は大きくなる。このため、ここでは採用していないが、ガス抜き側流量調節弁４２で減圧操作された後のレシーバガス抜き管４１を流れる冷媒の温度を使用して、液面検知管４３から抜き出された冷媒が液状態であるかどうか（レシーバ２８内の液面が高さ位置Ｌ１まで達しているかどうか）を検知することもできる。
【０１２１】
次に、ガス抜き側流量調節弁４２で減圧操作された後のレシーバガス抜き管４１を流れる冷媒は、図４及び図６に示すように、冷媒加熱器４４に送られて、圧縮機２１の吐出側と予冷熱交換器３５との間を流れる高圧のガス冷媒と熱交換を行って加熱される。この冷媒加熱器４４による加熱操作によって、レシーバガス抜き管４１を流れる冷媒は、加熱操作前の冷媒の状態に応じた温度上昇が発生することになる。すなわち、ガス抜き側流量調節弁４２で減圧操作された後のレシーバガス抜き管４１を流れる冷媒がガス状態である場合には、加熱操作による温度上昇が大きく、気液二相状態である場合には、減圧操作による温度上昇が小さくなる。このため、ここでは、ガス抜き側温度センサ７５によって、冷媒加熱器４４で加熱操作された後のレシーバガス抜き管４１を流れる冷媒の温度を検出して、この検出された冷媒の温度を使用して、液面検知管４３から抜き出された冷媒が液状態であるかどうか（レシーバ２８内の液面が高さ位置Ｌ１まで達しているかどうか）を検知している。具体的には、ガス抜き側温度センサ７５によって検出された冷媒の温度から吸入圧力センサ７１によって検出された冷媒の圧力を換算することによって得られる冷媒の飽和温度を差し引くことによって、冷媒加熱器４４で加熱操作された後のレシーバガス抜き管４１を流れる冷媒の過熱度を得る。そして、この冷媒の過熱度が所定の温度差以上である場合には、液面検知管４３から抜き出された冷媒がガス状態である（レシーバ２８内の液面が高さ位置Ｌ１まで達していない）と判断し、この冷媒の過熱度が所定の温度差に達しない場合には、液面検知管４３から抜き出された冷媒が液状態である（レシーバ２８内の液面が高さ位置Ｌ１まで達している）と判断する。
【０１２２】
このようにして、ここでは、利用側熱交換器５２ａ、５２ｂ、５２ｃ、５２ｄの少なくとも１つを冷媒の放熱器として機能させる運転（図４、図５及び図６に示される暖房運転や冷暖同時運転）において、利用側流量調節弁５１ａ、５１ｂ、５１ｃ、５１ｄの開度ＭＶによる過冷却度制御を行いつつ、過冷却度制御正常条件を満たすように、ガス抜き側流量調節弁４２の開度ＭＶを制御するようにしている。尚、図５に示される冷暖同時運転（蒸発負荷主体）においては、暖房運転を行う利用ユニット３ｄが存在しているものの、利用ユニット３ａ、３ｂ、３ｃ、３ｄ全体の熱負荷が蒸発負荷主体であり、液冷媒連絡管７を介して利用ユニット３ａ、３ｂ、３ｃ、３ｄから熱源ユニット２に冷媒が送られる運転状態ではない。このため、上記のステップＳＴ１〜ＳＴ５の制御は適用されているものの、過冷却度制御正常条件を満たさない状況が生じないため、結果的に、ガス抜き側流量調節弁４２が全閉状態（開度０％）に開度調節されており、レシーバガス抜き管４１を通じてレシーバ２８からガス冷媒を圧縮機２１の吸入側に抜き出さないようになっているのである。
【０１２３】
（３）冷凍装置（冷暖同時運転型空気調和装置）の特徴
冷暖同時運転型空気調和装置１には、以下のような特徴がある。
【０１２４】
＜Ａ＞
ここでは、上記のように、レシーバガス抜き管４１に、開度調節が可能なガス抜き側流量調節弁４２を設け、過冷却度制御正常条件を満たすように、ガス抜き側流量調節弁４２の開度を制御するようにしている。すなわち、ガス抜き側流量調節弁４２の開度ＭＶを大きくすることによって、レシーバ２８に流入する冷媒の状態をガス冷媒が多い気液二相状態にして、利用側熱交換器５２ａ、５２ｂ、５２ｃ、５２ｄの出口における冷媒の過冷却度ＳＣを小さくし、利用側熱交換器５２ａ、５２ｂ、５２ｃ、５２ｄの出口における冷媒の過冷却度ＳＣが利用側流量調節弁５１ａ、５１ｂ、５１ｃ、５１ｄの可変幅を超えて過冷却度制御を行えなくなる程に過大になるのを防ぐ、すなわち、過冷却度制御正常条件を満たすようにしている。
【０１２５】
これにより、ここでは、液圧損が大きい場合であっても、過冷却度制御が適切に行えるようになり、暖房能力の低下を抑えることができる。
【０１２６】
＜Ｂ＞
ここでは、上記のように、利用側流量調節弁５１ａ、５１ｂ、５１ｃ、５１ｄの開度ＭＶが過冷却度制御上限開度ＭＶｘ未満であるかどうかによって、過冷却度制御正常条件を満たしているかどうかを判定するようにしている。すなわち、利用側流量調節弁５１ａ、５１ｂ、５１ｃ、５１ｄの開度ＭＶが過冷却度制御における上限開度である過冷却度制御上限開度ＭＶｘまで開いた状態になっている場合には、利用側流量調節弁５１ａ、５１ｂ、５１ｃ、５１ｄの可変幅を超えており、利用側熱交換器５２ａ、５２ｂ、５２ｃ、５２ｄの出口における冷媒の過冷却度ＳＣが過冷却度制御を行えなくなる程に過大になっているものとみなすようにしている。
【０１２７】
これにより、ここでは、過冷却度制御を行っている利用側流量調節弁５１ａ、５１ｂ、５１ｃ、５１ｄの開度ＭＶを過冷却度制御上限開度ＭＶｘ未満に維持できるようになり、利用側流量調節弁５１ａ、５１ｂ、５１ｃ、５１ｄの可変幅の範囲内で過冷却度制御を行うことができる。
【０１２８】
＜Ｃ＞
ここでは、上記のように、過冷却度制御正常条件を満たすかどうかによってガス抜き側流量調節弁４２を開閉制御するようにしている。このため、ガス抜き側流量調節弁４２の開度ＭＶを、過冷却度制御正常条件を満たすために必要な最小限の開度で維持することができる。
【０１２９】
これにより、ここでは、レシーバ２８から抜き出されるガス冷媒の量を最小限に抑えることができるようになり、レシーバ２８からのガス抜きによる性能低下を抑えることができる。
【０１３０】
＜Ｄ＞
ここでは、上記のように、レシーバ２８が所定液面Ｌ１まで達した場合には、過冷却度制御正常条件を満たすかどうかにかかわらず、すなわち、過冷却度制御正常条件を満たさない場合であっても、ガス抜き側流量調節弁４２の開度ＭＶを強制的に小さくする制御を行うようにしている。
【０１３１】
これにより、ここでは、過冷却度制御を適切に行えるようにしつつ、レシーバ２８から圧縮機２１に液冷媒が戻ることを抑えることができる。
【０１３２】
（４）変形例
上記の実施形態では、本発明が適用される冷凍装置として、冷暖同時運転型空気調和装置１の構成例に挙げて説明しているが、これに限定されるものではない。例えば、冷暖切換運転型空気調和装置等の他の冷凍装置であっても、レシーバを有する熱源ユニットと、利用側流量調節弁と利用側熱交換器とを有する利用ユニットとが、冷媒連絡管を介して接続されており、利用側熱交換器を冷媒の放熱器として機能させる運転において、利用側熱交換器の出口における冷媒の過冷却度に基づいて利用側流量調節弁の開度を制御するものであれば、本発明を適用することが可能である。
【０１３３】
また、上記の実施形態では、過冷却熱交換器４５及び吸入戻し管４６が設けられているが、設けられていなくてもよい。
【０１３４】
さらに、レシーバ液面検知管４３に設けられた冷媒加熱器４４の加熱源は、圧縮機２１から吐出された高圧のガス冷媒に限定されず、レシーバ出口管２８ｂを流れる液冷媒等であってもよい。
【産業上の利用可能性】
【０１３５】
本発明は、レシーバを有する熱源ユニットと、利用側流量調節弁と利用側熱交換器とを有する利用ユニットとが、冷媒連絡管を介して接続されており、利用側熱交換器を冷媒の放熱器として機能させる運転において、利用側熱交換器の出口における冷媒の過冷却度に基づいて利用側流量調節弁の開度を制御する冷凍装置に対して、広く適用可能である。
【符号の説明】
【０１３６】
１                              冷暖同時運転型空気調和装置（冷凍装置）
２                              熱源ユニット
３ａ、３ｂ、３ｃ、３ｄ          利用ユニット
７                              液冷媒連絡管
８、９                          ガス冷媒連絡管
２１                            圧縮機
２４、２５                熱源側熱交換器
２８                            レシーバ
４１                            レシーバガス抜き管
４２                            ガス抜き側流量調節弁
５１ａ、５１ｂ、５１ｃ、５１ｄ  利用側流量調節弁
５２ａ、５２ｂ、５２ｃ、５２ｄ  利用側熱交換器
【先行技術文献】
【特許文献】
【０１３７】
【特許文献１】特開２００６−７８０２６号公報
【図１】
2015224832.tif 000003
【図２】
2015224832.tif 000004
【図３】
2015224832.tif 000005
【図４】
2015224832.tif 000006
【図５】
2015224832.tif 000007
【図６】
2015224832.tif 000008
【図７】
2015224832.tif 000009
【図８】
2015224832.tif 000010
【図９】
2015224832.tif 000011
【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
圧縮機（２１）と熱源側熱交換器（２４、２５）とレシーバ（２８）とを有する熱源ユニット（２）と、利用側流量調節弁（５１ａ、５１ｂ、５１ｃ、５１ｄ）と利用側熱交換器（５２ａ、５２ｂ、５２ｃ、５２ｄ）とを有する利用ユニット（３ａ、３ｂ、３ｃ、３ｄ）とが、ガス冷媒連絡管（８、９）及び液冷媒連絡管（７）を介して接続されており、前記利用側熱交換器を冷媒の放熱器として機能させる運転において、前記利用側熱交換器の出口における冷媒の過冷却度に基づいて前記利用側流量調節弁の開度を制御する過冷却度制御を行う冷凍装置において、
前記レシーバに、前記レシーバの上部と前記圧縮機の吸入側とを接続するレシーバガス抜き管（４１）を設け、
前記レシーバガス抜き管に、開度調節が可能なガス抜き側流量調節弁（４２）を設け、
前記過冷却度制御を行っている前記利用側流量調節弁が前記過冷却度制御を行うことが可能な過冷却度制御正常条件を満たすように、前記ガス抜き側流量調節弁の開度を制御しており、
前記過冷却度制御正常条件は、前記過冷却度制御を行っている前記利用側流量調節弁の開度が過冷却度制御上限開度未満であることである、
冷凍装置（１）。
【請求項２】
前記過冷却度制御を行っている前記利用側流量調節弁（５１ａ、５１ｂ、５１ｃ、５１ｄ）が前記過冷却度制御正常条件を満たす場合には、前記ガス抜き側流量調節弁（４２）の開度を小さくする制御を行い、
前記過冷却度制御を行っている前記利用側流量調節弁が前記過冷却度制御正常条件を満たさない場合には、前記ガス抜き側流量調節弁の開度を大きくする制御を行う、
請求項１に記載の冷凍装置（１）。
【請求項３】
前記レシーバ（２８）が所定液面まで達した場合には、前記過冷却度制御正常条件を満たすかどうかにかかわらず、前記ガス抜き側流量調節弁（４２）の開度を小さくする制御を行う、
請求項２に記載の冷凍装置（１）。
【手続補正２】
【補正対象書類名】明細書
【補正対象項目名】全文
【補正方法】変更
【補正の内容】
【発明の詳細な説明】
【技術分野】
【０００１】
本発明は、冷凍装置、特に、レシーバを有する熱源ユニットと、利用側流量調節弁と利用側熱交換器とを有する利用ユニットとが、冷媒連絡管を介して接続されており、利用側熱交換器を冷媒の放熱器として機能させる運転において、利用側熱交換器の出口における冷媒の過冷却度に基づいて利用側流量調節弁の開度を制御する冷凍装置に関する。
【背景技術】
【０００２】
従来より、特許文献１（特開２００６−７８０２６号公報）に示すように、レシーバを有する室外ユニット（熱源ユニット）と、室内電子膨張弁（利用側流量調節弁）と室外熱交換器（利用側熱交換器）とを有する室内ユニット（利用ユニット）とが、ガス配管及び液配管（ガス冷媒連絡管及び液冷媒連絡管）を介して接続された冷凍装置の一種である冷暖同時運転可能な空気調和機がある。
【発明の概要】
【発明が解決しようとする課題】
【０００３】
上記従来の冷凍装置においては、室内ユニット（利用ユニット）が暖房運転を行う際（利用側熱交換器を冷媒の放熱器として機能させる運転を行う際）に、利用ユニットにおいて所望の暖房能力を確保するために、利用側熱交換器の出口における冷媒の過冷却度に基づいて利用側流量調節弁の開度を制御する過冷却度制御を行う。
【０００４】
しかし、冷凍装置の設置条件や施工状況によって液冷媒連絡管の長さ等が異なるため、利用ユニットが暖房運転を行う際に液冷媒連絡管を流れる液冷媒の圧損（液圧損）が大きくなる場合がある。このため、液冷媒連絡管を介して利用ユニットから熱源ユニットに送られる液冷媒は、この液圧損に応じて圧力が低下して、液飽和の状態でレシーバに溜まることになり、利用側熱交換器の出口における冷媒は、この液圧損に応じて過冷却度が大きくなることがある。そして、利用側熱交換器の出口における冷媒の過冷却度が利用側流量調節弁の可変幅を超えて過冷却度制御を行えなくなる程に過大になってしまうと、利用側熱交換器の放熱能力が低下してしまい、利用ユニットにおける暖房能力が低下してしまうおそれがある。
【０００５】
本発明の課題は、レシーバを有する熱源ユニットと、利用側流量調節弁と利用側熱交換器とを有する利用ユニットとが、冷媒連絡管を介して接続されており、利用側熱交換器を冷媒の放熱器として機能させる運転において、利用側熱交換器の出口における冷媒の過冷却度に基づいて利用側流量調節弁の開度を制御する冷凍装置において、液圧損が大きい場合であっても、過冷却度制御を適切に行えるようにして、暖房能力の低下を抑えることにある。
【課題を解決するための手段】
【０００６】
第１の観点にかかる冷凍装置は、圧縮機と熱源側熱交換器とレシーバとを有する熱源ユニットと、利用側流量調節弁と利用側熱交換器とを有する利用ユニットとが、ガス冷媒連絡管及び液冷媒連絡管を介して接続されている。そして、この冷凍装置では、利用側熱交換器を冷媒の放熱器として機能させる運転において、利用側熱交換器の出口における冷媒の過冷却度に基づいて利用側流量調節弁の開度を制御する過冷却度制御を行う。そして、ここでは、レシーバに、レシーバの上部と圧縮機の吸入側とを接続するレシーバガス抜き管を設け、レシーバガス抜き管に、開度調節が可能なガス抜き側流量調節弁を設け、過冷却度制御を行っている利用側流量調節弁が過冷却度制御を行うことが可能な過冷却度制御正常条件を満たすように、ガス抜き側流量調節弁の開度を制御するようにしている。
【０００７】
液圧損によって過冷却度制御正常条件を満たなくなると、利用側熱交換器の出口における冷媒の過冷却度が目標過冷却度等の所望の過冷却度よりも過大になり、利用側流量調節弁の開度を制御するだけでは、利用側熱交換器の出口における冷媒の過冷却度が目標過冷却度等の所望の過冷却度まで小さくすることができない状況になってしまう。
【０００８】
そして、このような状況を解消するためには、レシーバに溜まる冷媒の状態を気液二相状態にして、利用側熱交換器の出口における冷媒の過冷却度を小さくすることが必要である。
【０００９】
そこで、ここでは、上記のように、レシーバガス抜き管に、開度調節が可能なガス抜き側流量調節弁を設け、過冷却度制御正常条件を満たすように、ガス抜き側流量調節弁の開度を制御するようにしている。すなわち、ガス抜き側流量調節弁の開度を大きくすることによって、レシーバに流入する冷媒の状態をガス冷媒が多い気液二相状態にして、利用側熱交換器の出口における冷媒の過冷却度を小さくし、利用側熱交換器の出口における冷媒の過冷却度が利用側流量調節弁の可変幅を超えて過冷却度制御を行えなくなる程に過大になるのを防ぐ、すなわち、過冷却度制御正常条件を満たすようにするのである。
【００１０】
これにより、ここでは、液圧損が大きい場合であっても、過冷却度制御が適切に行えるようになり、暖房能力の低下を抑えることができる。
【００１１】
しかも、ここでは、過冷却度制御正常条件が、過冷却度制御を行っている利用側流量調節弁の開度が過冷却度制御上限開度未満であることである。
【００１２】
ここでは、上記のように、利用側流量調節弁の開度が過冷却度制御上限開度未満であるかどうかによって、過冷却度制御正常条件を満たしているかどうかを判定するようにしている。すなわち、利用側流量調節弁の開度が過冷却度制御における上限開度である過冷却度制御上限開度まで開いた状態になっている場合には、利用側流量調節弁の可変幅を超えており、利用側熱交換器の出口における冷媒の過冷却度が過冷却度制御を行えなくなる程に過大になっているものとみなすようにしている。
【００１３】
これにより、ここでは、過冷却度制御を行っている利用側流量調節弁の開度を過冷却度制御上限開度未満に維持できるようになり、利用側流量調節弁の可変幅の範囲内で過冷却度制御を行うことができる。
【００１４】
第２の観点にかかる冷凍装置は、第１の観点にかかる冷凍装置において、過冷却度制御を行っている利用側流量調節弁が過冷却度制御正常条件を満たす場合には、ガス抜き側流量調節弁の開度を小さくする制御を行い、過冷却度制御を行っている利用側流量調節弁が過冷却度制御正常条件を満たさない場合には、ガス抜き側流量調節弁の開度を大きくする制御を行う。
【００１５】
ここでは、上記のように、過冷却度制御正常条件を満たすかどうかによってガス抜き側流量調節弁を開閉制御するようにしている。このため、ガス抜き側流量調節弁の開度を、過冷却度制御正常条件を満たすために必要な最小限の開度で維持することができる。
【００１６】
これにより、ここでは、レシーバから抜き出されるガス冷媒の量を最小限に抑えることができるようになり、レシーバからのガス抜きによる性能低下を抑えることができる。
【００１７】
第３の観点にかかる冷凍装置は、第２の観点にかかる冷凍装置において、レシーバが所定液面まで達した場合には、過冷却度制御正常条件を満たすかどうかにかかわらず、ガス抜き側流量調節弁の開度を小さくする制御を行う。
【００１８】
ガス抜き側流量調節弁を開けることでレシーバからガス冷媒を抜き出すと、レシーバ内に溜まる液冷媒の液面が上昇して、満液近くまで上昇する場合もあり得る。
【００１９】
そこで、ここでは、上記のように、レシーバが所定液面まで達した場合には、過冷却度制御正常条件を満たすかどうかにかかわらず、すなわち、過冷却度制御正常条件を満たさない場合であっても、ガス抜き側流量調節弁の開度を強制的に小さくする制御を行う。
【００２０】
これにより、ここでは、過冷却度制御を適切に行えるようにしつつ、レシーバから圧縮機に液冷媒が戻ることを抑えることができる。
【発明の効果】
【００２１】
以上の説明に述べたように、本発明によれば、以下の効果が得られる。
【００２２】
第１の観点にかかる冷凍装置では、液圧損が大きい場合であっても、過冷却度制御が適切に行えるようになり、暖房能力の低下を抑えることができる。しかも、過冷却度制御を行っている利用側流量調節弁の開度を過冷却度制御上限開度未満に維持できるようになり、利用側流量調節弁の可変幅の範囲内で過冷却度制御を行うことができる。
【００２３】
第２の観点にかかる冷凍装置では、レシーバから抜き出されるガス冷媒の量を最小限に抑えることができるようになり、レシーバからのガス抜きによる性能低下を抑えることができる。
【００２４】
第３の観点にかかる冷凍装置では、過冷却度制御を適切に行えるようにしつつ、レシーバから圧縮機に液冷媒が戻ることを抑えることができる。
【図面の簡単な説明】
【００２５】
【図１】本発明にかかる冷凍装置の一実施形態としての冷暖同時運転型空気調和装置の概略構成図である。
【図２】レシーバ及びその周辺の構造を示す概略図である。
【図３】冷房運転における動作（冷媒の流れ）を示す図である。
【図４】暖房運転における動作（冷媒の流れ）を示す図である。
【図５】冷暖同時運転（蒸発負荷主体）における動作（冷媒の流れ）を示す図である。
【図６】冷暖同時運転（放熱負荷主体）における動作（冷媒の流れ）を示す図である。
【図７】ガス抜き側流量調節弁を全閉状態で暖房運転を行った場合の冷凍サイクルを示したモリエル線図である。
【図８】ガス抜き側流量調節弁を開状態で暖房運転を行った場合の冷凍サイクルを示したモリエル線図である。
【図９】ガス抜き側流量調節弁の開度制御のフローチャートである。
【発明を実施するための形態】
【００２６】
以下、本発明にかかる冷凍装置の実施形態について、図面に基づいて説明する。尚、本発明にかかる冷凍装置の具体的な構成は、下記の実施形態及びその変形例に限られるものではなく、発明の要旨を逸脱しない範囲で変更可能である。
【００２７】
（１）冷凍装置（冷暖同時運転型空気調和装置）の構成
図１は、本発明にかかる冷凍装置の一実施形態としての冷暖同時運転型空気調和装置１の概略構成図である。冷暖同時運転型空気調和装置１は、蒸気圧縮式の冷凍サイクル運転を行うことによって、ビル等の室内の冷暖房に使用される装置である。
【００２８】
冷暖同時運転型空気調和装置１は、主として、１台の熱源ユニット２と、複数（ここでは、４台）の利用ユニット３ａ、３ｂ、３ｃ、３ｄと、各利用ユニット３ａ、３ｂ、３ｃ、３ｄに接続される接続ユニット４ａ、４ｂ、４ｃ、４ｄと、接続ユニット４ａ、４ｂ、４ｃ、４ｄを介して熱源ユニット２と利用ユニット３ａ、３ｂ、３ｃ、３ｄとを接続する冷媒連絡管７、８、９とを有している。すなわち、冷暖同時運転型空気調和装置１の蒸気圧縮式の冷媒回路１０は、熱源ユニット２と、利用ユニット３ａ、３ｂ、３ｃ、３ｄと、接続ユニット４ａ、４ｂ、４ｃ、４ｄと、冷媒連絡管７、８、９とが接続されることによって構成されている。そして、冷暖同時運転型空気調和装置１は、各利用ユニット３ａ、３ｂ、３ｃ、３ｄが個別に冷房運転又は暖房運転を行うことが可能になっており、暖房運転を行う利用ユニットから冷房運転を行う利用ユニットに冷媒を送ることで利用ユニット間において熱回収を行うこと（ここでは、冷房運転と暖房運転とを同時に行う冷暖同時運転を行うこと）が可能になるように構成されている。しかも、冷暖同時運転型空気調和装置１では、上記の熱回収（冷暖同時運転）も考慮した複数の利用ユニット３ａ、３ｂ、３ｃ、３ｄ全体の熱負荷に応じて、熱源ユニット２の熱負荷をバランスさせるように構成されている。
【００２９】
＜利用ユニット＞
利用ユニット３ａ、３ｂ、３ｃ、３ｄは、ビル等の室内の天井に埋め込みや吊り下げ等、又は、室内の壁面に壁掛け等により設置されている。利用ユニット３ａ、３ｂ、３ｃ、３ｄは、冷媒連絡管７、８、９及び接続ユニット４ａ、４ｂ、４ｃ、４ｄを介して熱源ユニット２に接続されており、冷媒回路１０の一部を構成している。
【００３０】
次に、利用ユニット３ａ、３ｂ、３ｃ、３ｄの構成について説明する。尚、利用ユニット３ａと利用ユニット３ｂ、３ｃ、３ｄとは同様の構成であるため、ここでは、利用ユニット３ａの構成のみ説明し、利用ユニット３ｂ、３ｃ、３ｄの構成については、それぞれ、利用ユニット３ａの各部を示す符号の添字「ａ」の代わりに、「ｂ」、「ｃ」又は「ｄ」の添字を付して、各部の説明を省略する。
【００３１】
利用ユニット３ａは、主として、冷媒回路１０の一部を構成しており、利用側冷媒回路１３ａ（利用ユニット３ｂ、３ｃ、３ｄでは、それぞれ、利用側冷媒回路１３ｂ、１３ｃ、１３ｄ）を有している。利用側冷媒回路１３ａは、主として、利用側流量調節弁５１ａと、利用側熱交換器５２ａとを有している。
【００３２】
利用側流量調節弁５１ａは、利用側熱交換器５２ａを流れる冷媒の流量の調節等を行うために、利用側熱交換器５２ａの液側に接続された開度調節が可能な電動膨張弁である。
【００３３】
利用側熱交換器５２ａは、冷媒と室内空気との熱交換を行うための機器であり、例えば、多数の伝熱管及びフィンによって構成されたフィン・アンド・チューブ型熱交換器からなる。ここで、利用ユニット３ａは、ユニット内に室内空気を吸入して、熱交換した後に、供給空気として屋内に供給するための室内ファン５３ａを有しており、室内空気と利用側熱交換器３２ａを流れる冷媒とを熱交換させることが可能である。室内ファン５３ａは、室内ファンモータ５４ａによって駆動される。
【００３４】
また、利用ユニット３ａには、各種のセンサが設けられている。具体的には、利用側熱交換器５２ａの液側（利用側熱交換器５２ａを冷媒の放熱器として機能させる際の出口）における冷媒の温度を検出する液側温度センサ８２ａが設けられている。また、利用ユニット３ａは、利用ユニット３ａを構成する各部５１ａ、５４ａの動作を制御する利用側制御部５０ａを有している。そして、利用側制御部５０ａは、利用ユニット３ａの制御を行うために設けられたマイクロコンピュータやメモリを有しており、リモコン（図示せず）との間で制御信号等のやりとりを行ったり、熱源ユニット２との間で制御信号等のやりとりを行うことができるようになっている。
【００３５】
＜熱源ユニット＞
熱源ユニット２は、ビル等の屋上等に設置されており、冷媒連絡管７、８、９を介して利用ユニット３ａ、３ｂ、３ｃ、３ｄに接続されており、利用ユニット３ａ、３ｂ、３ｃ、３ｄとの間で冷媒回路１０を構成している。
【００３６】
次に、熱源ユニット２の構成について説明する。熱源ユニット２は、主として、冷媒回路１０の一部を構成しており、熱源側冷媒回路１２を有している。熱源側冷媒回路１２は、主として、圧縮機２１と、複数（ここでは、２つ）の熱交切換機構２２、２３と、主熱源側熱交換器としての２つの熱源側熱交換器２４、２５と予冷熱交換器３５とからなる熱源側熱交換器と、冷媒冷却器３６と、２つの熱源側熱交換器２４、２５に対応する熱源側流量調節弁２６、２７と、予冷熱交換器３５及び冷媒冷却器３６に対応する冷媒冷却側流量調節弁３７と、レシーバ２８と、ブリッジ回路２９と、高低圧切換機構３０と、液側閉鎖弁３１と、高低圧ガス側閉鎖弁３２と、低圧ガス側閉鎖弁３３とを有している。
【００３７】
圧縮機２１は、ここでは、冷媒を圧縮するための機器であり、例えば、圧縮機モータ２１ａをインバータ制御することで運転容量を可変することが可能なスクロール型等の容積式圧縮機からなる。
【００３８】
第１熱交切換機構２２は、主熱源側熱交換器としての第１熱源側熱交換器２４を冷媒の放熱器として機能させる場合（以下、「放熱運転状態」とする）には圧縮機２１の吐出側と第１熱源側熱交換器２４のガス側とを接続し（図１の第１熱交切換機構２２の実線を参照）、第１熱源側熱交換器２４を冷媒の蒸発器として機能させる場合（以下、「蒸発運転状態」とする）には圧縮機２１の吸入側と第１熱源側熱交換器２４のガス側とを接続するように（図１の第１熱交切換機構２２の破線を参照）、熱源側冷媒回路１２内における冷媒の流路を切り換えることが可能な機器であり、例えば、四路切換弁からなる。また、第２熱交切換機構２３は、主熱源側熱交換器としての第２熱源側熱交換器２５を冷媒の放熱器として機能させる場合（以下、「放熱運転状態」とする）には圧縮機２１の吐出側と第２熱源側熱交換器２５のガス側とを接続し（図１の第２熱交切換機構２３の実線を参照）、第２熱源側熱交換器２５を冷媒の蒸発器として機能させる場合（以下、「蒸発運転状態」とする）には圧縮機２１の吸入側と第２熱源側熱交換器２５のガス側とを接続するように（図１の第２熱交切換機構２３の破線を参照）、熱源側冷媒回路１２内における冷媒の流路を切り換えることが可能な機器であり、例えば、四路切換弁からなる。そして、第１熱交切換機構２２及び第２熱交切換機構２３の切り換え状態を変更することによって、第１熱源側熱交換器２４及び第２熱源側熱交換器２５は、個別に冷媒の蒸発器又は放熱器として機能させる切り換えが可能になっている。
【００３９】
主熱源側熱交換器としての第１熱源側熱交換器２４は、冷媒と室外空気との熱交換を行うための機器であり、例えば、多数の伝熱管及びフィンによって構成されたフィン・アンド・チューブ型熱交換器からなる。第１熱源側熱交換器２４は、そのガス側が第１熱交切換機構２２に接続され、その液側が第１熱源側流量調節弁２６に接続されている。また、主熱源側熱交換器としての第２熱源側熱交換器２５は、冷媒と室外空気との熱交換を行うための機器であり、例えば、多数の伝熱管及びフィンによって構成されたフィン・アンド・チューブ型熱交換器からなる。第２熱源側熱交換器２５は、そのガス側が第２熱交切換機構２３に接続され、その液側が第２熱源側流量調節弁２７に接続されている。
【００４０】
予冷熱交換器３５は、冷媒と室外空気との熱交換を行うための機器であり、例えば、多数の伝熱管及びフィンによって構成されたフィン・アンド・チューブ型熱交換器からなる。予冷熱交換器３５は、熱源側熱交換器の一部（すなわち、熱源側熱交換器のうち主熱源側熱交換器としての熱源側熱交換器２４、２５を除いた部分）を構成しており、圧縮機２１から吐出される高圧のガス冷媒を常時流すように熱源側冷媒回路１２に設けられている。具体的には、予冷熱交換器３５は、主熱源側熱交換器としての熱源側熱交換器２４、２５とは異なり、熱交切換機構２２、２３のような冷媒の蒸発器又は放熱器として機能させる切り換えを可能にするための機構を介することなく、そのガス側が圧縮機２１の吐出側に接続されている。すなわち、予冷熱交換器３５は、主熱源側熱交換器としての熱源側熱交換器２４、２５とは異なり、常時冷媒の放熱器として機能するようになっている。
【００４１】
ここでは、第１熱源側熱交換器２４と第２熱源側熱交換器２５と予冷熱交換器３５とが一体の熱源側熱交換器として構成されている。そして、熱源ユニット２は、ユニット内に室外空気を吸入して、熱交換した後に、ユニット外に排出するための室外ファン３４を有しており、室外空気と熱源側熱交換器２４、２５、３５を流れる冷媒とを熱交換させることが可能である。室外ファン３４は、回転数制御が可能な室外ファンモータ３４ａによって駆動される。
【００４２】
冷媒冷却器３６は、予冷熱交換器３５において放熱した冷媒と電装品２０ａとの熱交換を行うことで電装品２０ａを冷却する機器であり、予冷熱交換器３５の液側、すなわち、予冷熱交換器３５の下流側に接続されている。冷媒冷却器３６は、例えば、冷媒流路が形成された金属製の部材を電装品２０ａに接触させることによって構成されている。ここで、電装品２０ａは、熱源ユニット２を構成する各部を制御するための電気部品であり、後述の熱源側制御部２０を構成している。そして、冷媒冷却器３６によって冷却が必要な電装品２０ａとしては、圧縮機モータ２１ａを制御するためのインバータを構成するパワー素子やリアクタ等の高発熱電気部品が挙げられる。このような高発熱電気部品は、圧縮機２１の運転容量が大きくなるにつれて、発熱量が大きくなる傾向にある。尚、図１において、電装品２０ａを熱源側制御部２０とは別に図示しているが、これは、冷媒冷却器３６の機能を説明するための便宜を考慮したものである。
【００４３】
第１熱源側流量調節弁２６は、第１熱源側熱交換器２４を流れる冷媒の流量の調節等を行うために、第１熱源側熱交換器２４の液側に接続された開度調節が可能な電動膨張弁である。また、第２熱源側流量調節弁２７は、第２熱源側熱交換器２５を流れる冷媒の流量の調節等を行うために、第２熱源側熱交換器２５の液側に接続された開度調節が可能な電動膨張弁である。すなわち、熱源側熱交換器２４、２５、３５のうち予冷熱交換器３５を除いた部分である主熱源側熱交換器としての熱源側熱交換器２４、２５の液側に、各熱源側熱交換器２４、２５を流れる冷媒の流量を調節する熱源側流量調節弁２６、２７が接続されている。
【００４４】
冷媒冷却側流量調節弁３７は、予冷熱交換器３５及び冷媒冷却器３６を流れる冷媒の流量の調節等を行うために、冷媒冷却器３６の下流側に接続された開度調節が可能な電動膨張弁である。そして、主熱源側熱交換器としての熱源側熱交換器２４、２５を冷媒の放熱器として機能させる際の熱源側流量調節弁２６、２７の下流側に、すなわち、第１熱源側熱交換器２４を冷媒の放熱器として機能させる際の第１熱源側流量調節弁２６の下流側に、かつ、第２熱源側熱交換器２５を冷媒の放熱器として機能させる際の第２熱源側流量調節弁２７の下流側に、冷媒冷却側流量調節弁３７の出口が接続されている。ここでは、冷媒冷却側流量調節弁３７の出口は、レシーバ２８の出口管２８ｂに合流するように接続されている。
【００４５】
レシーバ２８は、熱源側熱交換器２４、２５と利用側冷媒回路１３ａ、１３ｂ、１３ｃ、１３ｄとの間を流れる冷媒を一時的に溜めるための容器である。レシーバ２８の上部には、レシーバ入口管２８ａが設けられており、レシーバ２８の下部には、レシーバ出口管２８ｂが設けられている。また、レシーバ入口管２８ａには、開閉制御が可能なレシーバ入口開閉弁２８ｃが設けられている。そして、レシーバ２８の入口管２８ａ及び出口管２８ｂは、ブリッジ回路２９を介して、熱源側熱交換器２４、２５と液側閉鎖弁３１との間に接続されている。
【００４６】
また、レシーバ２８には、レシーバガス抜き管４１が接続されている。レシーバガス抜き管４１は、レシーバ入口管２８ａとは別にレシーバ２８の上部から冷媒を抜き出すように設けられており、レシーバ２８の上部と圧縮機２１の吸入側とを接続している。レシーバガス抜き管４１には、レシーバ２８からガス抜きされる冷媒の流量の調節等を行うために、ガス抜き側流量調節弁４２が設けられている。ここで、ガス抜き側流量調節弁４２は、開度調節が可能な電動膨張弁からなる。
【００４７】
また、レシーバ２８には、図２に示すように、レシーバ２８内の液面がレシーバガス抜き管４１を接続した位置よりも下側の所定位置Ｌ１まで達しているかどうかを検知するためのレシーバ液面検知管４３が接続されている。ここで、レシーバ液面検知管４３は、レシーバ２８の上下方向の中間付近の部分から冷媒を抜き出すように設けられている。そして、レシーバ液面検知管４３は、キャピラリチューブ４３ａを介してレシーバガス抜き管４１に合流している。ここで、レシーバ液面検知管４３は、レシーバガス抜き管４１のガス抜き側流量調節弁４２が設けられている位置よりも上流側の部分に合流するように設けられている。さらに、レシーバガス抜き管４１には、レシーバ液面検知管４３が合流する位置よりも下流側に、レシーバガス抜き管４１を流れる冷媒を加熱する冷媒加熱器４４が設けられている。ここで、冷媒加熱器４４は、圧縮機２１から吐出される高圧のガス冷媒を加熱源としてレシーバガス抜き管４１を流れる冷媒を加熱する熱交換器である。ここで、冷媒加熱器４４は、圧縮機２１から吐出された高圧のガス冷媒の一部を分岐して熱源側熱交換器２４、２５、３５の一部である予冷熱交換器３５に送る冷媒管とレシーバガス抜き管４１とを接触させることによって構成される配管熱交換器や二重管熱交換器等からなる。すなわち、冷媒加熱器４４は、圧縮機２１から吐出される高圧のガス冷媒が常時流れる予冷熱交換器３５の上流側に接続されている。そして、冷凍サイクル運転時において、圧縮機２１から吐出される高圧のガス冷媒の一部が分岐されて、冷媒加熱器４４、予冷熱交換器３５、冷媒冷却器３６及び冷媒冷却側流量調節弁３７を通じて、レシーバ出口管２８ｂに合流する流れが得られ、レシーバガス抜き管４１から抜き出される冷媒は、この圧縮機２１から吐出される高圧のガス冷媒の一部によって加熱されるようになっている。
【００４８】
ブリッジ回路２９は、冷媒が熱源側熱交換器２４、２５側から液側閉鎖弁３１側に向かって流れる場合、及び、冷媒が液側閉鎖弁３１側から熱源側熱交換器２４、２５側に向かって流れる場合のいずれにおいても、レシーバ入口管２８ａを通じてレシーバ２８内に冷媒を流入させ、レシーバ出口管２８ｂを通じてレシーバ２８内から冷媒を流出させる機能を有する回路である。ブリッジ回路２９は、４つの逆止弁２９ａ、２９ｂ、２９ｃ、２９ｄを有している。そして、入口逆止弁２９ａは、熱源側熱交換器２４、２５側からレシーバ入口管２８ａへの冷媒の流通のみを許容する逆止弁である。入口逆止弁２９ｂは、液側閉鎖弁３１側からレシーバ入口管２８ａへの冷媒の流通のみを許容する逆止弁である。すなわち、入口逆止弁２９ａ、２９ｂは、熱源側熱交換器２４、２５側又は液側閉鎖弁３１側からレシーバ入口管２８ａに冷媒を流通させる機能を有している。出口逆止弁２９ｃは、レシーバ出口管２８ｂから液側閉鎖弁３１側への冷媒の流通のみを許容する逆止弁である。出口逆止弁２９ｄは、レシーバ出口管２８ｂから熱源側熱交換器２４、２５側への冷媒の流通のみを許容する逆止弁である。すなわち、出口逆止弁２９ｃ、２９ｄは、レシーバ出口管２８ｂから熱源側熱交換器２４、２５側又は液側閉鎖弁３１側に冷媒を流通させる機能を有している。
【００４９】
また、ブリッジ回路２９には、熱源側熱交換器２４、２５の液側を流れる冷媒との熱交換を行う液管熱交換器としての過冷却熱交換器４５が設けられ、熱源側熱交換器２４、２５の液側と利用側熱交換器５２ａ、５２ｂ、５２ｃ、５２ｄの液側との間を流れる冷媒の一部を圧縮機２１の吸入側に戻す吸入戻し管４６が接続されている。過冷却熱交換器４５は、レシーバ出口管２８ｂに設けられており、吸入戻し管４６を流れる冷媒を冷却源としてレシーバ出口管２８ｂを流れる冷媒（すなわち、熱源側熱交換器２４、２５の液側と利用側熱交換器５２ａ、５２ｂ、５２ｃ、５２ｄの液側との間を流れる冷媒）を冷却する冷却器である。ここで、過冷却熱交換器４５は、吸入戻し管４６とレシーバ出口管２８ｂとを接触させることによって構成される配管熱交換器や二重管熱交換器等からなる。吸入戻し管４６は、レシーバ出口管２８ｂから分岐されるように設けられており、過冷却熱交換器４５を介してレシーバ出口管２８ｂと圧縮機２１の吸入側とを接続している。吸入戻し管４６には、レシーバ出口管２８ｂから分岐される冷媒の流量の調節等を行うために、吸入戻し側流量調節弁４７が設けられている。吸入戻し側流量調節弁４７は、吸入戻し管４６の過冷却熱交換器４５の上流側の部分に設けられている。ここで、吸入戻し側流量調節弁４７は、開度調節が可能な電動膨張弁からなる。
【００５０】
高低圧切換機構３０は、圧縮機２１から吐出された高圧のガス冷媒を利用側冷媒回路１３ａ、１３ｂ、１３ｃ、１３ｄに送る場合（以下、「放熱負荷運転状態」とする）には、圧縮機２１の吐出側と高低圧ガス側閉鎖弁３２とを接続し（図１の高低圧切換機構３０の破線を参照）、圧縮機２１から吐出された高圧のガス冷媒を利用側冷媒回路１３ａ、１３ｂ、１３ｃ、１３ｄに送らない場合（以下、「蒸発負荷運転状態」とする）には、高低圧ガス側閉鎖弁３２と圧縮機２１の吸入側とを接続するように（図１の高低圧切換機構３０の実線を参照）、熱源側冷媒回路１２内における冷媒の流路を切り換えることが可能な機器であり、例えば、四路切換弁からなる。
【００５１】
液側閉鎖弁３１、高低圧ガス側閉鎖弁３２及び低圧ガス側閉鎖弁３３は、外部の機器・配管（具体的には、冷媒連絡管７、８及び９）との接続口に設けられた弁である。液側閉鎖弁３１は、ブリッジ回路２９を介してレシーバ入口管２８ａ又はレシーバ出口管２８ｂに接続されている。高低圧ガス側閉鎖弁３２は、高低圧切換機構３０に接続されている。低圧ガス側閉鎖弁３３は、圧縮機２１の吸入側に接続されている。
【００５２】
また、熱源ユニット２には、各種のセンサが設けられている。具体的には、圧縮機２１の吸入側における冷媒の圧力を検出する吸入圧力センサ７１と、圧縮機２１の吐出側における冷媒の圧力を検出する吐出圧力センサ７３と、レシーバガス抜き管４１を流れる冷媒の温度を検出するガス抜き側温度センサ７５と、吸入戻し管４６を流れる冷媒の温度を検出する吸入戻し側温度センサ８１とが設けられている。ここでは、ガス抜き側温度センサ７５は、冷媒加熱器４４の出口における冷媒の温度を検出するようにレシーバガス抜き管４１に設けられ、吸入戻し側温度センサ８１は、過冷却熱交換器４５の出口における冷媒の温度を検出するように吸入戻し管４６に設けられている。また、熱源ユニット２は、熱源ユニット２を構成する各部２１ａ、２２、２３、２６、２７、２８ｃ、３０、３４ａ、３７、４２、４７の動作を制御する熱源側制御部２０を有している。そして、熱源側制御部２０は、熱源ユニット２の制御を行うために設けられたマイクロコンピュータやメモリを有しており、利用ユニット３ａ、３ｂ、３ｃ、３ｄの利用側制御部５０ａ、５０ｂ、５０ｃ、５０ｄとの間で制御信号等のやりとりを行うことができるようになっている。
【００５３】
＜接続ユニット＞
接続ユニット４ａ、４ｂ、４ｃ、４ｄは、ビル等の室内に利用ユニット３ａ、３ｂ、３ｃ、３ｄとともに設置されている。接続ユニット４ａ、４ｂ、４ｃ、４ｄは、冷媒連絡管９、１０、１１とともに、利用ユニット３、４、５と熱源ユニット２との間に介在しており、冷媒回路１０の一部を構成している。
【００５４】
次に、接続ユニット４ａ、４ｂ、４ｃ、４ｄの構成について説明する。尚、接続ユニット４ａと接続ユニット４ｂ、４ｃ、４ｄとは同様の構成であるため、ここでは、接続ユニット４ａの構成のみ説明し、接続ユニット４ｂ、４ｃ、４ｄの構成については、それぞれ、接続ユニット４ａの各部を示す符号の添字「ａ」の代わりに、「ｂ」、「ｃ」又は「ｄ」の添字を付して、各部の説明を省略する。
【００５５】
接続ユニット４ａは、主として、冷媒回路１０の一部を構成しており、接続側冷媒回路１４ａ（接続ユニット４ｂ、４ｃ、４ｄでは、それぞれ、接続側冷媒回路１４ｂ、１４ｃ、１４ｄ）を有している。接続側冷媒回路１４ａは、主として、液接続管６１ａと、ガス接続管６２ａとを有している。
【００５６】
液接続管６１ａは、液冷媒連絡管７と利用側冷媒回路１３ａの利用側流量調節弁５１ａとを接続している。
【００５７】
ガス接続管６２ａは、高低圧ガス冷媒連絡管８に接続された高圧ガス接続管６３ａと、低圧ガス冷媒連絡管９に接続された低圧ガス接続管６４ａと、高圧ガス接続管６３ａと低圧ガス接続管６４ａとを合流させる合流ガス接続管６５ａとを有している。合流ガス接続管６５ａは、利用側冷媒回路１３ａの利用側熱交換器５２ａのガス側に接続されている。高圧ガス接続管６３ａには、開閉制御が可能な高圧ガス開閉弁６６ａが設けられており、低圧ガス接続管６４ａには、開閉制御が可能な低圧ガス開閉弁６７ａが設けられている。
【００５８】
そして、接続ユニット４ａは、利用ユニット３ａが冷房運転を行う際には、低圧ガス開閉弁６７ａを開けた状態にして、液冷媒連絡管７を通じて液接続管６１ａに流入する冷媒を利用側冷媒回路１３ａの利用側流量調節弁５１ａを通じて利用側熱交換器５２ａに送り、利用側熱交換器５２ａにおいて室内空気との熱交換によって蒸発した冷媒を、合流ガス接続管６５ａ及び低圧ガス接続管６４ａを通じて、低圧ガス冷媒連絡管９に戻すように機能することができる。また、接続ユニット４ａは、利用ユニット３ａが暖房運転を行う際には、低圧ガス開閉弁６７ａを閉止し、かつ、高圧ガス開閉弁６６ａを開けた状態にして、高低圧ガス冷媒連絡管８を通じて高圧ガス接続管６３ａ及び合流ガス接続管６５ａに流入する冷媒を利用側冷媒回路１３ａの利用側熱交換器５２ａに送り、利用側熱交換器５２ａにおいて室内空気との熱交換によって放熱した冷媒を、利用側流量調節弁５１ａ及び液接続管６１ａを通じて、液冷媒連絡管７に戻すように機能することができる。この機能は、接続ユニット４ａだけでなく、接続ユニット４ｂ、４ｃ、４ｄも同様に有しているため、接続ユニット４ａ、４ｂ、４ｃ、４ｄによって、利用側熱交換器５２ａ、５２ｂ、５２ｃ、５２ｄは、個別に冷媒の蒸発器又は放熱器として機能させる切り換えが可能になっている。
【００５９】
また、接続ユニット４ａは、接続ユニット４ａを構成する各部６６ａ、６７ａの動作を制御する接続側制御部６０ａを有している。そして、接続側制御部６０ａは、接続ユニット６０ａの制御を行うために設けられたマイクロコンピュータやメモリを有しており、利用ユニット３ａの利用側制御部５０ａとの間で制御信号等のやりとりを行うことができるようになっている。
【００６０】
以上のように、利用側冷媒回路１３ａ、１３ｂ、１３ｃ、１３ｄと、熱源側冷媒回路１２と、冷媒連絡管７、８、９と、接続側冷媒回路１４ａ、１４ｂ、１４ｃ、１４ｄとが接続されて、冷暖同時運転型空気調和装置１の冷媒回路１０が構成されている。そして、冷暖同時運転型空気調和装置１では、圧縮機２１と熱源側熱交換器２４、２５とレシーバ２８とを有する熱源ユニット２と、利用側流量調節弁５１ａ、５１ｂ、５１ｃ、５１ｄと利用側熱交換器５２ａ、５２ｂ、５２ｃ、５２ｄとを有する利用ユニット３ａ、３ｂ、３ｃ、３ｄとが、ガス冷媒連絡管８、９及び液冷媒連絡管７を介して接続された冷凍装置を構成している。そして、ここでは、後述のように、暖房運転等のような利用側熱交換器５２ａ、５２ｂ、５２ｃ、５２ｄを冷媒の放熱器として機能させる運転において、利用側熱交換器５２ａ、５２ｂ、５２ｃ、５２ｄの出口における冷媒の過冷却度ＳＣに基づいて利用側流量調節弁５１ａ、５１ｂ、５１ｃ、５１ｄの開度を制御する過冷却度制御を行うようになっている。また、レシーバ２８に、レシーバ２８の上部と圧縮機２１の吸入側とを接続するレシーバガス抜き管４１を設け、レシーバガス抜き管４１に、開度調節が可能なガス抜き側流量調節弁４２を設けている。
【００６１】
（２）冷凍装置（冷暖同時運転型空気調和装置）の動作
次に、冷暖同時運転型空気調和装置１の動作について説明する。
【００６２】
冷暖同時運転型空気調和装置１の冷凍サイクル運転としては、冷房運転と、暖房運転と、冷暖同時運転（蒸発負荷主体）と、冷暖同時運転（放熱負荷主体）とがある。ここで、冷房運転は、冷房運転（すなわち、利用側熱交換器が冷媒の蒸発器として機能する運転）を行う利用ユニットだけが存在し、利用ユニット全体の蒸発負荷に対して熱源側熱交換器２４、２５を冷媒の放熱器として機能させる運転である。暖房運転は、暖房運転（すなわち、利用側熱交換器が冷媒の放熱器として機能する運転）を行う利用ユニットだけが存在し、利用ユニット全体の放熱負荷に対して主熱源側熱交換器としての熱源側熱交換器２４、２５を冷媒の蒸発器として機能させる運転である。冷暖同時運転（蒸発負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が蒸発負荷主体である場合に、この利用ユニット全体の蒸発負荷に対して主熱源側熱交換器としての熱源側熱交換器２４、２５を冷媒の放熱器として機能させる運転である。冷暖同時運転（放熱負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が放熱負荷主体である場合に、この利用ユニット全体の放熱負荷に対して主熱源側熱交換器としての熱源側熱交換器２４、２５を冷媒の蒸発器として機能させる運転である。
【００６３】
尚、これらの冷凍サイクル運転を含む冷暖同時運転型空気調和装置１の動作は、上記の制御部２０、５０ａ、５０ｂ、５０ｃ、５０ｄ、６０ａ、６０ｂ、６０ｃ、６０ｄによって行われる。
【００６４】
−冷房運転−
冷房運転の際、例えば、利用ユニット３ａ、３ｂ、３ｃ、３ｄの全てが冷房運転（すなわち、利用側熱交換器５２ａ、５２ｂ、５２ｃ、５２ｄの全てが冷媒の蒸発器として機能する運転）を行い、主熱源側熱交換器としての熱源側熱交換器２４、２５が冷媒の放熱器として機能する際、空気調和装置１の冷媒回路１０は、図３に示されるように構成される（冷媒の流れについては、図３の冷媒回路１０に付された矢印を参照）。
【００６５】
具体的には、熱源ユニット２においては、第１熱交切換機構２２を放熱運転状態（図３の第１熱交切換機構２２の実線で示された状態）に切り換え、第２熱交切換機構２３を放熱運転状態（図３の第２熱交切換機構２３の実線で示された状態）に切り換えることによって、熱源側熱交換器２４、２５を冷媒の放熱器として機能させるようになっている。また、高低圧切換機構３０を蒸発負荷運転状態（図３の高低圧切換機構３０の実線で示された状態）に切り換えている。また、熱源側流量調節弁２６、２７は、開度調節され、レシーバ入口開閉弁２８ｃは、開状態になっている。また、冷媒冷却側流量調節弁３７は、開度調節されて、予冷熱交換器３５に圧縮機２１から吐出される高圧のガス冷媒が流れるようになっている。また、吸入戻し側流量調節弁４７は、開度調節されて、過冷却熱交換器４５がレシーバ出口管２８ｂを流れる冷媒の冷却器として機能するようになっている。さらに、ここでは、冷媒の放熱器として機能する利用側熱交換器が存在しない運転であるため、ガス抜き側流量調節弁４２は、後述のように、全閉状態（開度０％）に開度調節されており、これにより、レシーバガス抜き管４１を通じてレシーバ２８からガス冷媒を圧縮機２１の吸入側に抜き出さないようになっている。接続ユニット４ａ、４ｂ、４ｃ、４ｄにおいては、高圧ガス開閉弁６６ａ、６６ｂ、６６ｃ、６６ｄ、及び、低圧ガス開閉弁６７ａ、６７ｂ、６７ｃ、６７ｄを開状態にすることによって、利用ユニット３ａ、３ｂ、３ｃ、３ｄの利用側熱交換器５２ａ、５２ｂ、５２ｃ、５２ｄの全てを冷媒の蒸発器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吸入側とが高低圧ガス冷媒連絡管８及び低圧ガス冷媒連絡管９を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００６６】
このような冷媒回路１０において、圧縮機２１で圧縮され吐出された高圧のガス冷媒は、熱交切換機構２２、２３を通じて、主熱源側熱交換器としての熱源側熱交換器２４、２５に送られる。また、圧縮機２１で圧縮され吐出された高圧のガス冷媒は、冷媒加熱器４４を介して、予冷熱交換器３５にも送られる。そして、熱源側熱交換器２４、２５に送られた高圧のガス冷媒は、熱源側熱交換器２４、２５において、室外ファン３４によって供給される熱源としての室外空気と熱交換を行うことによって放熱する。そして、熱源側熱交換器２４、２５において放熱した冷媒は、熱源側流量調節弁２６、２７において流量調節された後、合流して、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。そして、レシーバ２８に送られた冷媒は、レシーバ２８内に一時的に溜められた後、レシーバ出口管２８ｂに送られ、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｃ及び液側閉鎖弁３１を通じて、液冷媒連絡管７に送られる。一方、過冷却熱交換器４５で熱交換を行った後の吸入戻し管４６を流れる冷媒は、圧縮機２１の吸入側に戻される。
【００６７】
そして、液冷媒連絡管７に送られた冷媒は、４つに分岐されて、各接続ユニット４ａ、４ｂ、４ｃ、４ｄの液接続管６１ａ、６１ｂ、６１ｃ、６１ｄに送られる。そして、液接続管６１ａ、６１ｂ、６１ｃ、６１ｄに送られた冷媒は、利用ユニット３ａ、３ｂ、３ｃ、３ｄの利用側流量調節弁５１ａ、５１ｂ、５１ｃ、５１ｄに送られる。
【００６８】
そして、利用側流量調節弁５１ａ、５１ｂ、５１ｃ、５１ｄに送られた冷媒は、利用側流量調節弁５１ａ、５１ｂ、５１ｃ、５１ｄにおいて流量調節された後、利用側熱交換器５２ａ、５２ｂ、５２ｃ、５２ｄにおいて、室内ファン５３ａ、５３ｂ、５３ｃ、５３ｄによって供給される室内空気と熱交換を行うことによって蒸発して低圧のガス冷媒となる。一方、室内空気は、冷却されて室内に供給されて、利用ユニット３ａ、３ｂ、３ｃ、３ｄの冷房運転が行われる。そして、低圧のガス冷媒は、接続ユニット４ａ、４ｂ、４ｃ、４ｄの合流ガス接続管６５ａ、６５ｂ、６５ｃ、６５ｄに送られる。
【００６９】
そして、合流ガス接続管６５ａ、６５ｂ、６５ｃ、６５ｄに送られた低圧のガス冷媒は、高圧ガス開閉弁６６ａ、６６ｂ、６６ｃ、６６ｄ及び高圧ガス接続管６３ａ、６３ｂ、６３ｃ、６３ｄを通じて、高低圧ガス冷媒連絡管８に送られて合流するとともに、低圧ガス開閉弁６７ａ、６７ｂ、６７ｃ、６７ｄ及び低圧ガス接続管６４ａ、６４ｂ、６４ｃ、６４ｄを通じて、低圧ガス冷媒連絡管９に送られて合流する。
【００７０】
そして、ガス冷媒連絡管８、９に送られた低圧のガス冷媒は、ガス側閉鎖弁３２、３３及び高低圧切換機構３０を通じて、圧縮機２１の吸入側に戻される。
【００７１】
このようにして、冷房運転における動作が行われる。尚、利用ユニット３ａ、３ｂ、３ｃ、３ｄのいくつかが冷房運転（すなわち、利用側熱交換器５２ａ、５２ｂ、５２ｃ、５２ｄのいくつかが冷媒の蒸発器として機能する運転）を行う等によって、利用側熱交換器５２ａ、５２ｂ、５２ｃ、５２ｄ全体の蒸発負荷が小さくなる場合には、熱源側熱交換器２４、２５の一方（例えば、第１熱源側熱交換器２４）だけを冷媒の放熱器として機能させる運転が行われる。
【００７２】
−暖房運転−
暖房運転の際、例えば、利用ユニット３ａ、３ｂ、３ｃ、３ｄの全てが暖房運転（すなわち、利用側熱交換器５２ａ、５２ｂ、５２ｃ、５２ｄの全てが冷媒の放熱器として機能する運転）を行い、主熱源側熱交換器としての熱源側熱交換器２４、２５が冷媒の蒸発器として機能する際、空気調和装置１の冷媒回路１０は、図４に示されるように構成される（冷媒の流れについては、図４の冷媒回路１０に付された矢印を参照）。
【００７３】
具体的には、熱源ユニット２においては、第１熱交切換機構２２を蒸発運転状態（図４の第１熱交切換機構２２の破線で示された状態）に切り換え、第２熱交切換機構２３を蒸発運転状態（図４の第２熱交切換機構２３の破線で示された状態）に切り換えることによって、熱源側熱交換器２４、２５を冷媒の蒸発器として機能させるようになっている。また、高低圧切換機構３０を放熱負荷運転状態（図４の高低圧切換機構３０の破線で示された状態）に切り換えている。また、熱源側流量調節弁２６、２７は、開度調節され、レシーバ入口開閉弁２８ｃは、開状態になっている。また、冷媒冷却側流量調節弁３７は、開度調節されて、予冷熱交換器３５に圧縮機２１から吐出される高圧のガス冷媒が流れるようになっている。また、吸入戻し側流量調節弁４７は、開度調節されて、過冷却熱交換器４５がレシーバ出口管２８ｂを流れる冷媒の冷却器として機能するようになっている。さらに、ここでは、冷媒の放熱器として機能する利用側熱交換器５２ａ、５２ｂ、５２ｃ、５２ｄが存在する運転であるため、ガス抜き側流量調節弁４２は、後述のように、利用側流量調節弁５１ａ、５１ｂ、５１ｃ、５１ｄの制御状況に応じて開度調節されて、レシーバガス抜き管４１を通じてレシーバ２８からガス冷媒を圧縮機２１の吸入側に抜き出すようになっている。接続ユニット４ａ、４ｂ、４ｃ、４ｄにおいては、高圧ガス開閉弁６６ａ、６６ｂ、６６ｃ、６６ｄを開状態にし、低圧ガス開閉弁６７ａ、６７ｂ、６７ｃ、６７ｄを閉状態にすることによって、利用ユニット３ａ、３ｂ、３ｃ、３ｄの利用側熱交換器５２ａ、５２ｂ、５２ｃ、５２ｄの全てを冷媒の放熱器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、後述のように、利用側熱交換器５２ａ、５２ｂ、５２ｃ、５２ｄの出口における冷媒の過冷却度ＳＣに基づいて開度を制御する過冷却度制御によって、開度調節されている。
【００７４】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、冷媒加熱器４４にも送られる。ここで、ガス抜き側流量調節弁４２が開状態に開度調節されている場合には、レシーバガス抜き管４１を通じてレシーバ２８からガス冷媒が抜き出されるため、冷媒加熱器４４に送られた高圧のガス冷媒は、レシーバガス抜き管４１を流れる冷媒と熱交換を行うことによって冷却される。一方、レシーバガス抜き管４１を流れるガス冷媒は、加熱されて、圧縮機２１の吸入側に戻される。そして、冷媒加熱器４４において冷却された冷媒は、予冷熱交換器３５に送られる。予冷熱交換器３５に送られた高圧の冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【００７５】
そして、高低圧ガス冷媒連絡管８に送られた高圧のガス冷媒は、４つに分岐されて、各接続ユニット４ａ、４ｂ、４ｃ、４ｄの高圧ガス接続管６３ａ、６３ｂ、６３ｃ、６３ｄに送られる。高圧ガス接続管６３ａ、６３ｂ、６３ｃ、６３ｄに送られた高圧のガス冷媒は、高圧ガス開閉弁６６ａ、６６ｂ、６６ｃ、６６ｄ及び合流ガス接続管６５ａ、６５ｂ、６５ｃ、６５ｄを通じて、利用ユニット３ａ、３ｂ、３ｃ、３ｄの利用側熱交換器５２ａ、５２ｂ、５２ｃ、５２ｄに送られる。
【００７６】
そして、利用側熱交換器５２ａ、５２ｂ、５２ｃ、５２ｄに送られた高圧のガス冷媒は、利用側熱交換器５２ａ、５２ｂ、５２ｃ、５２ｄにおいて、室内ファン５３ａ、５３ｂ、５３ｃ、５３ｄによって供給される室内空気と熱交換を行うことによって放熱する。一方、室内空気は、加熱されて室内に供給されて、利用ユニット３ａ、３ｂ、３ｃ、３ｄの暖房運転が行われる。利用側熱交換器５２ａ、５２ｂ、５２ｃ、５２ｄにおいて放熱した冷媒は、利用側流量調節弁５１ａ、５１ｂ、５１ｃ、５１ｄにおいて流量調節された後、接続ユニット４ａ、４ｂ、４ｃ、４ｄの液接続管６１ａ、６１ｂ、６１ｃ、６１ｄに送られる。
【００７７】
そして、液接続管６１ａ、６１ｂ、６１ｃ、６１ｄに送られた冷媒は、液冷媒連絡管７に送られて合流する。
【００７８】
そして、液冷媒連絡管７に送られた冷媒は、液側閉鎖弁３１、入口逆止弁２９ｂ及びレシーバ入口開閉弁２８ｃを通じて、レシーバ２８に送られる。ここで、ガス抜き側流量調節弁４２が開状態に開度調節されている場合には、レシーバ２８に送られた冷媒は、レシーバ２８内に一時的に溜められて気液分離された後、ガス冷媒は、レシーバガス抜き管４１を通じて圧縮機２１の吸入側に抜き出され、液冷媒は、レシーバ出口管２８ｂに送られる。レシーバ出口管２８ｂに送られた冷媒は、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｄを通じて、熱源側流量調節弁２６、２７の両方に送られる。そして、熱源側流量調節弁２６、２７に送られた冷媒は、熱源側流量調節弁２６、２７において流量調節された後、熱源側熱交換器２４、２５において、室外ファン３４によって供給される室外空気と熱交換を行うことによって蒸発して低圧のガス冷媒になり、熱交切換機構２２、２３に送られる。そして、熱交切換機構２２、２３に送られた低圧のガス冷媒は、合流して、圧縮機２１の吸入側に戻される。
【００７９】
このようにして、暖房運転における動作が行われる。尚、利用ユニット３ａ、３ｂ、３ｃ、３ｄのいくつかが暖房運転（すなわち、利用側熱交換器５２ａ、５２ｂ、５２ｃ、５２ｄのいくつかが冷媒の放熱器として機能する運転）を行う等によって、利用側熱交換器５２ａ、５２ｂ、５２ｃ、５２ｄ全体の放熱負荷が小さくなる場合には、熱源側熱交換器２４、２５の一方（例えば、第１熱源側熱交換器２４）だけを冷媒の蒸発器として機能させる運転が行われる。
【００８０】
−冷暖同時運転（蒸発負荷主体）−
冷暖同時運転（蒸発負荷主体）の際、例えば、利用ユニット３ａ、３ｂ、３ｃが冷房運転し、かつ、利用ユニット３ｄが暖房運転し（すなわち、利用側熱交換器５２ａ、５２ｂ、５２ｃが冷媒の蒸発器として機能し、かつ、利用側熱交換器５２ｄが冷媒の放熱器として機能する運転）を行い、主熱源側熱交換器としての第１熱源側熱交換器２４が冷媒の放熱器として機能する際、空気調和装置１の冷媒回路１０は、図５に示されるように構成される（冷媒の流れについては、図５の冷媒回路１０に付された矢印を参照）。
【００８１】
具体的には、熱源ユニット２においては、第１熱交切換機構２２を放熱運転状態（図５の第１熱交切換機構２２の実線で示された状態）に切り換えることによって、第１熱源側熱交換器２４だけを冷媒の放熱器として機能させるようになっている。また、高低圧切換機構３０を放熱負荷運転状態（図５の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、ここでは、冷媒の放熱器として機能する利用側熱交換器５２ｄが存在する運転であるため、ガス抜き側流量調節弁４２は、後述のように、利用側流量調節弁５１ａ、５１ｂ、５１ｃ、５１ｄの制御状況に応じて開度調節されるのであるが、液冷媒連絡管７を介して利用ユニット３ａ、３ｂ、３ｃ、３ｄから熱源ユニット２に冷媒が送られる運転状態ではないため、結果的に、全閉状態（開度０％）に開度調節されており、これにより、レシーバガス抜き管４１を通じてレシーバ２８からガス冷媒を圧縮機２１の吸入側に抜き出さないようになっている。接続ユニット４ａ、４ｂ、４ｃ、４ｄにおいては、高圧ガス開閉弁６６ｄ、及び、低圧ガス開閉弁６７ａ、６７ｂ、６７ｃを開状態にし、かつ、高圧ガス開閉弁６６ａ、６６ｂ、６６ｃ、及び、低圧ガス開閉弁６７ｄを閉状態にすることによって、利用ユニット３ａ、３ｂ、３ｃの利用側熱交換器５２ａ、５２ｂ、５２ｃを冷媒の蒸発器として機能させ、かつ、利用ユニット３ｄの利用側熱交換器５２ｄを冷媒の放熱器として機能させるとともに、利用ユニット３ａ、３ｂ、３ｃの利用側熱交換器５２ａ、５２ｂ、５２ｃと熱源ユニット２の圧縮機２１の吸入側とが低圧ガス冷媒連絡管９を介して接続された状態になり、かつ、利用ユニット３ｄの利用側熱交換器５２ｄと熱源ユニット２の圧縮機２１の吐出側とが高低圧ガス冷媒連絡管８を介して接続された状態になっている。冷房運転を行う利用ユニット３ａ、３ｂ、３ｃにおいては、利用側流量調節弁５１ａ、５１ｂ、５１ｃは、開度調節され、暖房運転を行う利用ユニット３ｄにおいては、利用側流量調節弁５１ｄは、後述のように、利用側熱交換器５２ｄの出口における冷媒の過冷却度ＳＣに基づいて開度を制御する過冷却度制御によって、開度調節されている。
【００８２】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、第１熱交切換機構２２を通じて、第１熱源側熱交換器２４に送られる。また、圧縮機２１で圧縮され吐出された高圧のガス冷媒は、冷媒加熱器４４を介して、予冷熱交換器３５にも送られる。
【００８３】
そして、高低圧ガス冷媒連絡管８に送られた高圧のガス冷媒は、接続ユニット４ｄの高圧ガス接続管６３ｄに送られる。高圧ガス接続管６３ｄに送られた高圧のガス冷媒は、高圧ガス開閉弁６６ｄ及び合流ガス接続管６５ｄを通じて、利用ユニット３ｄの利用側熱交換器５２ｄに送られる。
【００８４】
そして、利用側熱交換器５２ｄに送られた高圧のガス冷媒は、利用側熱交換器５２ｄにおいて、室内ファン５３ｄによって供給される室内空気と熱交換を行うことによって放熱する。一方、室内空気は、加熱されて室内に供給されて、利用ユニット３ｄの暖房運転が行われる。利用側熱交換器５２ｄにおいて放熱した冷媒は、利用側流量調節弁５１ｄにおいて流量調節された後、接続ユニット４ｄの液接続管６１ｄに送られる。
【００８５】
また、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６において流量調節された後、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。そして、レシーバ２８に送られた冷媒は、レシーバ２８内に一時的に溜められた後、レシーバ出口管２８ｂに送られ、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｃ及び液側閉鎖弁３１を通じて、液冷媒連絡管７に送られる。一方、過冷却熱交換器４５で熱交換を行った後の吸入戻し管４６を流れる冷媒は、圧縮機２１の吸入側に戻される。
【００８６】
そして、利用側熱交換器５２ｄにおいて放熱して液接続管６１ｄに送られた冷媒は、液冷媒連絡管７に送られて、第１熱源側熱交換器２４において放熱して液冷媒連絡管７に送られた冷媒と合流する。
【００８７】
そして、液冷媒連絡管７において合流した冷媒は、３つに分岐されて、各接続ユニット４ａ、４ｂ、４ｃの液接続管６１ａ、６１ｂ、６１ｃに送られる。そして、液接続管６１ａ、６１ｂ、６１ｃに送られた冷媒は、利用ユニット３ａ、３ｂ、３ｃの利用側流量調節弁５１ａ、５１ｂ、５１ｃに送られる。
【００８８】
そして、利用側流量調節弁５１ａ、５１ｂ、５１ｃに送られた冷媒は、利用側流量調節弁５１ａ、５１ｂ、５１ｃにおいて流量調節された後、利用側熱交換器５２ａ、５２ｂ、５２ｃにおいて、室内ファン５３ａ、５３ｂ、５３ｃによって供給される室内空気と熱交換を行うことによって蒸発して低圧のガス冷媒となる。一方、室内空気は、冷却されて室内に供給されて、利用ユニット３ａ、３ｂ、３ｃの冷房運転が行われる。そして、低圧のガス冷媒は、接続ユニット４ａ、４ｂ、４ｃの合流ガス接続管６５ａ、６５ｂ、６５ｃに送られる。
【００８９】
そして、合流ガス接続管６５ａ、６５ｂ、６５ｃに送られた低圧のガス冷媒は、低圧ガス開閉弁６７ａ、６７ｂ、６７ｃ及び低圧ガス接続管６４ａ、６４ｂ、６４ｃを通じて、低圧ガス冷媒連絡管９に送られて合流する。
【００９０】
そして、低圧ガス冷媒連絡管９に送られた低圧のガス冷媒は、ガス側閉鎖弁３３を通じて、圧縮機２１の吸入側に戻される。
【００９１】
このようにして、冷暖同時運転（蒸発負荷主体）における動作が行われる。尚、冷房運転を行う利用ユニット（すなわち、冷媒の蒸発器として機能する利用側熱交換器）の数が少なくなる等によって、利用側熱交換器５２ａ、５２ｂ、５２ｃ、５２ｄ全体の蒸発負荷が小さくなる場合には、第２熱源側熱交換器２５を冷媒の蒸発器として機能させることで、第１熱源側熱交換器２４の放熱負荷と第２熱源側熱交換器２５との蒸発負荷とを相殺して熱源側熱交換器２４、２５全体の放熱負荷を小さくする運転が行われる。
【００９２】
−冷暖同時運転（放熱負荷主体）−
冷暖同時運転（放熱負荷主体）の際、例えば、利用ユニット３ａ、３ｂ、３ｃが暖房運転し、かつ、利用ユニット３ｄが冷房運転し（すなわち、利用側熱交換器５２ａ、５２ｂ、５２ｃが冷媒の放熱器として機能し、かつ、利用側熱交換器５２ｄが冷媒の蒸発器として機能する運転）を行い、主熱源側熱交換器としての第１熱源側熱交換器２４だけが冷媒の蒸発器として機能する際、空気調和装置１の冷媒回路１０は、図６に示されるように構成される（冷媒の流れについては、図６の冷媒回路１０に付された矢印を参照）。
【００９３】
具体的には、熱源ユニット２においては、第１熱交切換機構２２を蒸発運転状態（図６の第１熱交切換機構２２の破線で示された状態）に切り換えることによって、第１熱源側熱交換器２４だけを冷媒の蒸発器として機能させるようになっている。また、高低圧切換機構３０を放熱負荷運転状態（図６の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、ここでは、冷媒の放熱器として機能する利用側熱交換器５２ａ、５２ｂ、５２ｃが存在する運転であるため、ガス抜き側流量調節弁４２は、後述のように、利用側流量調節弁５１ａ、５１ｂ、５１ｃの制御状況に応じて開度調節されて、レシーバガス抜き管４１を通じてレシーバ２８からガス冷媒を圧縮機２１の吸入側に抜き出すようになっている。接続ユニット４ａ、４ｂ、４ｃ、４ｄにおいては、高圧ガス開閉弁６６ａ、６６ｂ、６６ｃ、及び、低圧ガス開閉弁６７ｄを開状態にし、かつ、高圧ガス開閉弁６６ｄ、及び、低圧ガス開閉弁６７ａ、６７ｂ、６７ｃを閉状態にすることによって、利用ユニット３ａ、３ｂ、３ｃの利用側熱交換器５２ａ、５２ｂ、５２ｃを冷媒の放熱器として機能させ、かつ、利用ユニット３ｄの利用側熱交換器５２ｄを冷媒の蒸発器として機能させるとともに、利用ユニット３ｄの利用側熱交換器５２ｄと熱源ユニット２の圧縮機２１の吸入側とが低圧ガス冷媒連絡管９を介して接続された状態になり、かつ、利用ユニット３ａ、３ｂ、３ｃの利用側熱交換器５２ａ、５２ｂ、５２ｃと熱源ユニット２の圧縮機２１の吐出側とが高低圧ガス冷媒連絡管８を介して接続された状態になっている。冷房運転を行う利用ユニット３ｄにおいては、利用側流量調節弁５１ｄは、開度調節され、暖房運転を行う利用ユニット３ａ、３ｂ、３ｃにおいては、利用側流量調節弁５１ａ、５１ｂ、５１ｃは、後述のように、利用側熱交換器５２ａ、５２ｂ、５２ｃの出口における冷媒の過冷却度ＳＣに基づいて開度を制御する過冷却度制御によって、開度調節されている。
【００９４】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、冷媒加熱器４４にも送られる。ここで、ガス抜き側流量調節弁４２が開状態に開度調節されている場合には、レシーバガス抜き管４１を通じてレシーバ２８からガス冷媒が抜き出されるため、冷媒加熱器４４に送られた高圧のガス冷媒は、レシーバガス抜き管４１を流れる冷媒と熱交換を行うことによって冷却される。一方、レシーバガス抜き管４１を流れるガス冷媒は、加熱されて、圧縮機２１の吸入側に戻される。そして、冷媒加熱器４４において冷却された冷媒は、予冷熱交換器３５に送られる。予冷熱交換器３５に送られた高圧の冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【００９５】
そして、高低圧ガス冷媒連絡管８に送られた高圧のガス冷媒は、３つに分岐されて、各接続ユニット４ａ、４ｂ、４ｃの高圧ガス接続管６３ａ、６３ｂ、６３ｃに送られる。高圧ガス接続管６３ａ、６３ｂ、６３ｃに送られた高圧のガス冷媒は、高圧ガス開閉弁６６ａ、６６ｂ、６６ｃ及び合流ガス接続管６５ａ、６５ｂ、６５ｃを通じて、利用ユニット３ａ、３ｂ、３ｃの利用側熱交換器５２ａ、５２ｂ、５２ｃに送られる。
【００９６】
そして、利用側熱交換器５２ａ、５２ｂ、５２ｃに送られた高圧のガス冷媒は、利用側熱交換器５２ａ、５２ｂ、５２ｃにおいて、室内ファン５３ａ、５３ｂ、５３ｃによって供給される室内空気と熱交換を行うことによって放熱する。一方、室内空気は、加熱されて室内に供給されて、利用ユニット３ａ、３ｂ、３ｃの暖房運転が行われる。利用側熱交換器５２ａ、５２ｂ、５２ｃにおいて放熱した冷媒は、利用側流量調節弁５１ａ、５１ｂ、５１ｃにおいて流量調節された後、接続ユニット４ａ、４ｂ、４ｃの液接続管６１ａ、６１ｂ、６１ｃに送られる。
【００９７】
そして、液接続管６１ａ、６１ｂ、６１ｃ、６１ｄに送られた冷媒は、液冷媒連絡管７に送られて合流する。
【００９８】
液冷媒連絡管７において合流した冷媒は、その一部が、接続ユニット４ｄの液接続管６１ｄに送られ、残りが、液側閉鎖弁３１、入口逆止弁２９ｂ及びレシーバ入口開閉弁２８ｃを通じて、レシーバ２８に送られる。
【００９９】
そして、接続ユニット４ｄの液接続管６１ｄに送られた冷媒は、利用ユニット３ｄの利用側流量調節弁５１ｄに送られる。
【０１００】
そして、利用側流量調節弁５１ｄに送られた冷媒は、利用側流量調節弁５１ｄにおいて流量調節された後、利用側熱交換器５２ｄにおいて、室内ファン５３ｄによって供給される室内空気と熱交換を行うことによって蒸発して低圧のガス冷媒となる。一方、室内空気は、冷却されて室内に供給されて、利用ユニット３ｄの冷房運転が行われる。そして、低圧のガス冷媒は、接続ユニット４ｄの合流ガス接続管６５ｄに送られる。
【０１０１】
そして、合流ガス接続管６５ｄに送られた低圧のガス冷媒は、低圧ガス開閉弁６７ｄ及び低圧ガス接続管６４ｄを通じて、低圧ガス冷媒連絡管９に送られる。
【０１０２】
そして、低圧ガス冷媒連絡管９に送られた低圧のガス冷媒は、ガス側閉鎖弁３３を通じて、圧縮機２１の吸入側に戻される。
【０１０３】
また、ここで、ガス抜き側流量調節弁４２が開状態に開度調節されている場合には、レシーバ２８に送られた冷媒は、レシーバ２８内に一時的に溜められて気液分離された後、ガス冷媒は、レシーバガス抜き管４１を通じて圧縮機２１の吸入側に抜き出され、液冷媒は、レシーバ出口管２８ｂに送られる。レシーバ出口管２８ｂに送られた冷媒は、その一部が吸入戻し管４６に分岐され、その後、冷媒冷却器３６を通過した冷媒と合流して過冷却熱交換器４５に送られる。過冷却熱交換器４５に送られたレシーバ出口管２８ｂを流れる冷媒は、吸入戻し管４６の吸入戻し側流量調節弁４７において流量調節された冷媒によって冷却される。過冷却熱交換器４５において冷却されたレシーバ出口管２８ｂを流れる冷媒は、出口逆止弁２９ｄを通じて、第１熱源側流量調節弁２６に送られる。そして、第１熱源側流量調節弁２６に送られた冷媒は、第１熱源側流量調節弁２６において流量調節された後、第１熱源側熱交換器２４において、室外ファン３４によって供給される室外空気と熱交換を行うことによって蒸発して低圧のガス冷媒になり、第１熱交切換機構２２に送られる。そして、第１熱交切換機構２２に送られた低圧のガス冷媒は、低圧ガス冷媒連絡管９及びガス側閉鎖弁３３を通じて圧縮機２１の吸入側に戻される低圧のガス冷媒と合流して、圧縮機２１の吸入側に戻される。
【０１０４】
このようにして、冷暖同時運転（放熱負荷主体）における動作が行われる。尚、暖房運転を行う利用ユニット（すなわち、冷媒の放熱器として機能する利用側熱交換器）の数が少なくなる等によって、利用側熱交換器５２ａ、５２ｂ、５２ｃ、５２ｄ全体の放熱負荷が小さくなる場合には、第２熱源側熱交換器２５を冷媒の放熱器として機能させることで、第１熱源側熱交換器２４の蒸発負荷と第２熱源側熱交換器２５との放熱負荷とを相殺して熱源側熱交換器２４、２５全体の蒸発負荷を小さくする運転が行われる。
【０１０５】
−利用側流量調節弁による過冷却度制御−
上記の各種冷凍サイクル運転のうち冷房運転を除く運転（暖房運転及び冷暖同時運転）においては、利用側熱交換器５２ａ、５２ｂ、５２ｃ、５２ｄの少なくとも１つを冷媒の放熱器として機能させる運転、すなわち、利用ユニット３ａ、３ｂ、３ｃ、３ｄの少なくとも１つが暖房運転を行っている。そして、暖房運転を行う利用ユニットにおいては、利用側熱交換器５２ａ、５２ｂ、５２ｃ、５２ｄの出口における冷媒の過冷却度ＳＣに基づいて利用側流量調節弁５１ａ、５１ｂ、５１ｃ、５１ｄの開度ＭＶを制御する過冷却度制御が行われるようになっている。そして、この過冷却度制御によって、暖房運転を行う利用ユニット３ａ、３ｂ、３ｃ、３ｄの利用側熱交換器５２ａ、５２ｂ、５２ｃ、５２ｄを流れる冷媒の流量を調節し、所望の暖房能力を確保するようにしている。
【０１０６】
具体的には、この過冷却度制御では、冷媒の放熱器として機能する利用側熱交換器５２ａ、５２ｂ、５２ｃ、５２ｄの出口における過冷却度ＳＣが目標過冷却度ＳＣｔに近づくように、利用側流量調節弁５１ａ、５１ｂ、５１ｃ、５１ｄの開度ＭＶを制御する。ここで、利用側熱交換器５２ａ、５２ｂ、５２ｃ、５２ｄの出口における冷媒の過冷却度ＳＣは、吐出圧力センサ７３によって検出される圧縮機２１の吐出側における冷媒の圧力を飽和温度に換算して得られる凝縮温度Ｔｃから液側温度センサ８２ａ、８２ｂ、８２ｃ、８２ｄによって検出される利用側熱交換器５２ａ、５２ｂ、５２ｃ、５２ｄの液側における冷媒の温度Ｔｉｒｌを差し引くことによって得られる。目標過冷却度ＳＣｔは、利用側熱交換器５２ａ、５２ｂ、５２ｃ、５２ｄの熱交換性能を発揮するのに適した値に設定される。そして、過冷却度ＳＣが目標過冷却度ＳＣｔよりも大きい場合には、利用側流量調節弁５１ａ、５１ｂ、５１ｃ、５１ｄの開度ＭＶを、過冷却度制御における可変幅の範囲内で大きくする制御を行う。また、過冷却度ＳＣが目標過冷却度ＳＣｔよりも小さい場合には、利用側流量調節弁５１ａ、５１ｂ、５１ｃ、５１ｄの開度ＭＶを、過冷却度制御における可変幅の範囲内で小さくする制御を行う。ここで、過冷却度制御における利用側流量調節弁５１ａ、５１ｂ、５１ｃ、５１ｄの開度ＭＶの可変幅は、全閉状態に近い過冷却度制御下限開度ＭＶｍ（例えば、開度０％〜数％）から全開状態に近い過冷却度制御上限開度ＭＶｘ（例えば、開度１００％）までの範囲である。このため、過冷却度制御においては、冷媒の放熱器として機能する利用側熱交換器５２ａ、５２ｂ、５２ｃ、５２ｄの出口における過冷却度ＳＣが目標過冷却度ＳＣｔに近づくように、各利用側流量調節弁５１ａ、５１ｂ、５１ｃ、５１ｄの開度ＭＶを、過冷却度制御下限開度ＭＶｍから過冷却度制御上限開度ＭＶｘの可変幅の範囲内で制御することになる。
【０１０７】
−液圧損が大きい場合のレシーバガス抜き制御−
上記のように、冷暖同時運転型空気調和装置１では、利用側熱交換器５２ａ、５２ｂ、５２ｃ、５２ｄの少なくとも１つを冷媒の放熱器として機能させる運転（ここでは、暖房運転及び冷暖同時運転）において、利用側流量調節弁５１ａ、５１ｂ、５１ｃ、５１ｄによる過冷却度制御が行われている。
【０１０８】
しかし、冷暖同時運転型空気調和装置１の設置条件や施工状況によって液冷媒連絡管７の長さ等が異なるため、利用ユニット３ａ、３ｂ、３ｃ、３ｄの少なくとも１つが暖房運転を行う際に液冷媒連絡管７を流れる液冷媒の圧損（液圧損）が大きくなる場合がある。このため、液冷媒連絡管７を介して利用ユニット３ａ、３ｂ、３ｃ、３ｄから熱源ユニット２に送られる液冷媒は、この液圧損に応じて圧力が低下して、液飽和の状態でレシーバ２８に流入することになり、利用側熱交換器５２ａ、５２ｂ、５２ｃ、５２ｄの出口における冷媒は、この液圧損に応じて過冷却度ＳＣが大きくなってしまう。例えば、ガス抜き側流量調節弁４２を全閉状態（開度０％）に開度調節した状態で、利用ユニット３ａ、３ｂ、３ｃ、３ｄが暖房運転を行うと、図７のモリエル線図上に示された冷凍サイクルのようになる。ここで、液冷媒連絡管７を介して利用ユニット３ａ、３ｂ、３ｃ、３ｄから熱源ユニット２に送られる液冷媒は、図７の点Ｄに示すように、液圧損に応じて圧力が低下して、液飽和の状態でレシーバ２８に溜まることになる。そして、利用側熱交換器５２ａ、５２ｂ、５２ｃ、５２ｄの出口における冷媒は、図７の点Ｃに示すように、液圧損に応じて過冷却度ＳＣが大きくなってしまう。そして、利用側熱交換器５２ａ、５２ｂ、５２ｃ、５２ｄの出口における冷媒の過冷却度ＳＣが利用側流量調節弁５１ａ、５１ｂ、５１ｃ、５１ｄの可変幅を超えて過冷却度制御を行えなくなる程に過大になってしまうと、利用側熱交換器５２ａ、５２ｂ、５２ｃ、５２ｄの放熱能力が低下してしまい、利用ユニット３ａ、３ｂ、３ｃ、３ｄにおける暖房能力が低下してしまうおそれがある。すなわち、利用側流量調節弁５１ａ、５１ｂ、５１ｃ、５１ｄが過冷却度制御を行うことが可能な条件を過冷却度制御正常条件とすると、液圧損によって過冷却度制御正常条件を満たなくなると、利用側熱交換器５２ａ、５２ｂ、５２ｃ、５２ｄの出口における冷媒の過冷却度ＳＣが所望の過冷却度（ここでは、目標過冷却度ＳＣｔ）よりも過大になり、利用側流量調節弁５１ａ、５１ｂ、５１ｃ、５１ｄの開度ＭＶを制御するだけでは、利用側熱交換器５２ａ、５２ｂ、５２ｃ、５２ｄの出口における冷媒の過冷却度ＳＣが所望の過冷却度（ここでは、目標過冷却度ＳＣｔ）まで小さくすることができない状況になってしまうのである。
【０１０９】
そして、このような状況を解消するためには、利用ユニット３ａ、３ｂ、３ｃ、３ｄの少なくとも１つが暖房運転を行う際に液冷媒連絡管７を流れる液冷媒の圧損（液圧損）が大きくなって過冷却度制御正常条件を満たさなくなる場合に、レシーバ２８に流入する冷媒の状態を気液二相状態にして、利用側熱交換器５２ａ、５２ｂ、５２ｃ、５２ｄの出口における冷媒の過冷却度ＳＣを小さくすることが必要である。
【０１１０】
そこで、ここでは、レシーバ２８に、レシーバ２８の上部と圧縮機２１の吸入側とを接続するレシーバガス抜き管４１を設け、レシーバガス抜き管４１に、開度調節が可能なガス抜き側流量調節弁４２を設け、過冷却度制御正常条件を満たすように、ガス抜き側流量調節弁４２の開度ＭＶを制御するようにしている。
【０１１１】
次に、ガス抜き側流量調節弁４２の開度制御について、図８及び図９を用いて説明する。ここで、図８は、ガス抜き側流量調節弁４２を開状態で暖房運転を行った場合の冷凍サイクルを示したモリエル線図であり、図９は、ガス抜き側流量調節弁４２の開度制御のフローチャートである。尚、ここで説明するガス抜き側流量調節弁４２の開度制御を含む各種動作は、制御部２０、５０ａ、５０ｂ、５０ｃ、５０ｄ、６０ａ、６０ｂ、６０ｃ、６０ｄによって行われる。
【０１１２】
まず、ステップＳＴ１において、過冷却度制御正常条件を満たすかどうかを判定する。すなわち、利用ユニット３ａ、３ｂ、３ｃ、３ｄの少なくとも１つが暖房運転（すなわち、利用側熱交換器５２ａ、５２ｂ、５２ｃ、５２ｄの少なくとも１つを冷媒の放熱器として機能させる運転）を行っており、暖房運転を行っている利用ユニット３ａ、３ｂ、３ｃ、３ｄの利用側流量調節弁５１ａ、５１ｂ、５１ｃ、５１ｄが過冷却度制御を行っている場合において、過冷却度制御正常条件を満たすかどうかを判定する。ここでは、過冷却度制御を行っている利用側流量調節弁５１ａ、５１ｂ、５１ｃ、５１ｄの開度ＭＶが過冷却度制御上限開度ＭＶｘ未満であるかどうかによって、過冷却度制御正常条件を満たすかどうかを判定するようにしている。すなわち、利用側流量調節弁５１ａ、５１ｂ、５１ｃ、５１ｄの開度ＭＶが過冷却度制御における上限開度である過冷却度制御上限開度ＭＶｘまで開いた状態になっている場合には、利用側流量調節弁５１ａ、５１ｂ、５１ｃ、５１ｄの可変幅を超えており、利用側熱交換器５２ａ、５２ｂ、５２ｃ、５２ｄの出口における冷媒の過冷却度ＳＣが過冷却度制御を行えなくなる程に過大になっているものとみなすようにしている。ここで、暖房運転を行っている利用ユニットが複数存在する場合には、各利用ユニットについて、過冷却度制御正常条件を満たすかどうかの判定を行う。
【０１１３】
次に、ステップＳＴ１において過冷却度制御正常条件を満たさないものと判定された場合には、ステップＳＴ２に移行する。そして、ステップＳＴ２においては、ガス抜き側流量調節弁４２の開度ＭＶを大きくする制御を行う。ここでは、ガス抜き側流量調節弁４２の現在開度ＭＶに第１開度変化分ΔＭＶ１を加えることによって、ガス抜き側流量調節弁４２の開度ＭＶを大きくする制御を行うようにしている。すると、ガス抜き側流量調節弁４２が全閉状態（開度ＭＶ＝０％）の場合には、レシーバガス抜き管４１を通じてレシーバ２８からガス冷媒が抜き出され始め、また、ガス抜き側流量調節弁４２が既に開いている場合には、レシーバガス抜き管４１を通じてレシーバ２８から抜き出されるガス冷媒の流量が増加するようになる。そして、このステップＳＴ２の処理を繰り返すと、図８の点Ｃ、Ｄに示すように、レシーバ２８に流入する冷媒の状態をガス冷媒が多い気液二相状態にして、利用側熱交換器５２ａ、５２ｂ、５２ｃ、５２ｄの出口における冷媒の過冷却度ＳＣを小さくし、利用側熱交換器５２ａ、５２ｂ、５２ｃ、５２ｄの出口における冷媒の過冷却度ＳＣが利用側流量調節弁５１ａ、５１ｂ、５１ｃ、５１ｄの可変幅を超えて過冷却度制御を行えなくなる程に過大になるのを防ぐ、すなわち、ステップＳＴ１における過冷却度制御正常条件を満たすようにするのである。
【０１１４】
次に、ステップＳＴ１において過冷却度制御正常条件を満たすものと判定された場合には、ステップＳＴ３に移行する。そして、ステップＳＴ３においては、ガス抜き側流量調節弁４２の開度ＭＶを小さくする制御を行う。ここでは、ガス抜き側流量調節弁４２の現在開度ＭＶから第２開度変化分ΔＭＶ２を差し引くことによって、ガス抜き側流量調節弁４２の開度ＭＶを小さくする制御を行うようにしている。すると、ガス抜き側流量調節弁４２が全閉状態（開度ＭＶ＝０％）の場合には、そのまま開度が全閉状態、すなわち、レシーバガス抜き管４１を通じてレシーバ２８からガス冷媒が抜き出されない状態が維持され、また、ステップＳＴ２の処理によってガス抜き側流量調節弁４２が既に開いている場合には、レシーバガス抜き管４１を通じてレシーバ２８から抜き出されるガス冷媒の流量が減少するようになる。そして、このステップＳＴ３の処理をステップＳＴ２の処理とともに繰り返すと、ステップＳＴ１の過冷却度制御正常条件を満たすかどうかによってガス抜き側流量調節弁４２を開閉制御することになり、ガス抜き側流量調節弁４２の開度ＭＶを、過冷却度制御正常条件を満たすために必要な最小限の開度で維持することができる。
【０１１５】
このように、ガス抜き側流量調節弁４２は、ステップＳＴ１の過冷却度制御正常条件を満たすかどうかによって、ステップＳＴ２、ＳＴ３の開閉制御がなされるようになっている。
【０１１６】
しかし、ガス抜き側流量調節弁４２を開けることでレシーバ２８からガス冷媒を抜き出すと、レシーバ２８内に溜まる液冷媒の液面が上昇して、満液近くまで上昇する場合もあり得る。
【０１１７】
そこで、ここでは、ステップＳＴ１、ＳＴ２、ＳＴ３の処理だけでなく、ステップＳＴ４、ＳＴ５の処理を行うようにしている。具体的には、レシーバ２８が所定液面Ｌ１（図２参照）まで達した場合には、ステップＳＴ１の過冷却度制御正常条件を満たすかどうかにかかわらず、すなわち、ステップＳＴ１の過冷却度制御正常条件を満たさない場合であっても、ガス抜き側流量調節弁４２の開度ＭＶを強制的に小さくする制御を行うようにしている。ここでは、ガス抜き側流量調節弁４２の現在開度ＭＶから第３開度変化分ΔＭＶ３を差し引くことによって、ガス抜き側流量調節弁４２の開度ＭＶを小さくする制御を行うようにしている。ここで、第３開度変化分ΔＭＶ３は、ガス抜き量を大幅に制限できるようにするために、第１開度変化分ΔＭＶ１や第２開度変化分ΔＭＶ２よりも大きな値に設定することが好ましい。
【０１１８】
尚、レシーバ２８が所定液面Ｌ１に達したかどうかの判定は、液面センサ等の種々の手法が採用可能であるが、ここでは、レシーバ液面検知管４３を使用している。このレシーバ液面検知管４３によるレシーバ２８内の液面検知は、以下のようにして行う。まず、レシーバ液面検知管４３は、ガス抜き側流量調節弁４２が開状態になると、図２、図４及び図６に示すように、レシーバ２８の所定の高さ位置Ｌ１から冷媒を抜き出す。ここで、レシーバ液面検知管４３から抜き出された冷媒は、レシーバ２８内の液面が所定の高さ位置Ｌ１よりも低い場合は、ガス状態となり、レシーバ２８内の液面が所定の高さ位置Ｌ１以上である場合は、液状態となる。
【０１１９】
次に、レシーバ液面検知管４３から抜き出された冷媒は、図４及び図６に示すように、レシーバガス抜き管４１から抜き出された冷媒と合流する。ここで、レシーバガス抜き管４１から抜き出された冷媒は、レシーバ２８内の液面が高さ位置Ｌ２（図２参照）より低い場合には、ガス状態である。このため、レシーバ液面検知管４３から抜き出された冷媒がガス状態である場合には、レシーバガス抜き管４１から抜き出された冷媒と合流した後にレシーバガス抜き管４１を流れる冷媒も、ガス状態となる。一方、レシーバ液面検知管４３から抜き出された冷媒が液状態である場合には、レシーバガス抜き管４１から抜き出された冷媒と合流した後にレシーバガス抜き管４１を流れる冷媒は、ガス冷媒に液冷媒が混入した気液二相状態となる。そして、レシーバ液面検知管４３から抜き出された冷媒が合流した後のレシーバガス抜き管４１を流れる冷媒は、ガス抜き側流量調節弁４２によって圧縮機２１の吸入側における冷媒の圧力近くまで減圧される。このガス抜き側流量調節弁４２による減圧操作によって、レシーバガス抜き管４１を流れる冷媒は、減圧操作前の冷媒の状態に応じた温度降下が発生することになる。すなわち、レシーバガス抜き管４１を流れる冷媒がガス状態である場合には、減圧操作による温度降下は小さく、気液二相状態である場合には、減圧操作による温度降下は大きくなる。このため、ここでは採用していないが、ガス抜き側流量調節弁４２で減圧操作された後のレシーバガス抜き管４１を流れる冷媒の温度を使用して、液面検知管４３から抜き出された冷媒が液状態であるかどうか（レシーバ２８内の液面が高さ位置Ｌ１まで達しているかどうか）を検知することもできる。
【０１２０】
次に、ガス抜き側流量調節弁４２で減圧操作された後のレシーバガス抜き管４１を流れる冷媒は、図４及び図６に示すように、冷媒加熱器４４に送られて、圧縮機２１の吐出側と予冷熱交換器３５との間を流れる高圧のガス冷媒と熱交換を行って加熱される。この冷媒加熱器４４による加熱操作によって、レシーバガス抜き管４１を流れる冷媒は、加熱操作前の冷媒の状態に応じた温度上昇が発生することになる。すなわち、ガス抜き側流量調節弁４２で減圧操作された後のレシーバガス抜き管４１を流れる冷媒がガス状態である場合には、加熱操作による温度上昇が大きく、気液二相状態である場合には、減圧操作による温度上昇が小さくなる。このため、ここでは、ガス抜き側温度センサ７５によって、冷媒加熱器４４で加熱操作された後のレシーバガス抜き管４１を流れる冷媒の温度を検出して、この検出された冷媒の温度を使用して、液面検知管４３から抜き出された冷媒が液状態であるかどうか（レシーバ２８内の液面が高さ位置Ｌ１まで達しているかどうか）を検知している。具体的には、ガス抜き側温度センサ７５によって検出された冷媒の温度から吸入圧力センサ７１によって検出された冷媒の圧力を換算することによって得られる冷媒の飽和温度を差し引くことによって、冷媒加熱器４４で加熱操作された後のレシーバガス抜き管４１を流れる冷媒の過熱度を得る。そして、この冷媒の過熱度が所定の温度差以上である場合には、液面検知管４３から抜き出された冷媒がガス状態である（レシーバ２８内の液面が高さ位置Ｌ１まで達していない）と判断し、この冷媒の過熱度が所定の温度差に達しない場合には、液面検知管４３から抜き出された冷媒が液状態である（レシーバ２８内の液面が高さ位置Ｌ１まで達している）と判断する。
【０１２１】
このようにして、ここでは、利用側熱交換器５２ａ、５２ｂ、５２ｃ、５２ｄの少なくとも１つを冷媒の放熱器として機能させる運転（図４、図５及び図６に示される暖房運転や冷暖同時運転）において、利用側流量調節弁５１ａ、５１ｂ、５１ｃ、５１ｄの開度ＭＶによる過冷却度制御を行いつつ、過冷却度制御正常条件を満たすように、ガス抜き側流量調節弁４２の開度ＭＶを制御するようにしている。尚、図５に示される冷暖同時運転（蒸発負荷主体）においては、暖房運転を行う利用ユニット３ｄが存在しているものの、利用ユニット３ａ、３ｂ、３ｃ、３ｄ全体の熱負荷が蒸発負荷主体であり、液冷媒連絡管７を介して利用ユニット３ａ、３ｂ、３ｃ、３ｄから熱源ユニット２に冷媒が送られる運転状態ではない。このため、上記のステップＳＴ１〜ＳＴ５の制御は適用されているものの、過冷却度制御正常条件を満たさない状況が生じないため、結果的に、ガス抜き側流量調節弁４２が全閉状態（開度０％）に開度調節されており、レシーバガス抜き管４１を通じてレシーバ２８からガス冷媒を圧縮機２１の吸入側に抜き出さないようになっているのである。
【０１２２】
（３）冷凍装置（冷暖同時運転型空気調和装置）の特徴
冷暖同時運転型空気調和装置１には、以下のような特徴がある。
【０１２３】
＜Ａ＞
ここでは、上記のように、レシーバガス抜き管４１に、開度調節が可能なガス抜き側流量調節弁４２を設け、過冷却度制御正常条件を満たすように、ガス抜き側流量調節弁４２の開度を制御するようにしている。すなわち、ガス抜き側流量調節弁４２の開度ＭＶを大きくすることによって、レシーバ２８に流入する冷媒の状態をガス冷媒が多い気液二相状態にして、利用側熱交換器５２ａ、５２ｂ、５２ｃ、５２ｄの出口における冷媒の過冷却度ＳＣを小さくし、利用側熱交換器５２ａ、５２ｂ、５２ｃ、５２ｄの出口における冷媒の過冷却度ＳＣが利用側流量調節弁５１ａ、５１ｂ、５１ｃ、５１ｄの可変幅を超えて過冷却度制御を行えなくなる程に過大になるのを防ぐ、すなわち、過冷却度制御正常条件を満たすようにしている。
【０１２４】
これにより、ここでは、液圧損が大きい場合であっても、過冷却度制御が適切に行えるようになり、暖房能力の低下を抑えることができる。
【０１２５】
＜Ｂ＞
ここでは、上記のように、利用側流量調節弁５１ａ、５１ｂ、５１ｃ、５１ｄの開度ＭＶが過冷却度制御上限開度ＭＶｘ未満であるかどうかによって、過冷却度制御正常条件を満たしているかどうかを判定するようにしている。すなわち、利用側流量調節弁５１ａ、５１ｂ、５１ｃ、５１ｄの開度ＭＶが過冷却度制御における上限開度である過冷却度制御上限開度ＭＶｘまで開いた状態になっている場合には、利用側流量調節弁５１ａ、５１ｂ、５１ｃ、５１ｄの可変幅を超えており、利用側熱交換器５２ａ、５２ｂ、５２ｃ、５２ｄの出口における冷媒の過冷却度ＳＣが過冷却度制御を行えなくなる程に過大になっているものとみなすようにしている。
【０１２６】
これにより、ここでは、過冷却度制御を行っている利用側流量調節弁５１ａ、５１ｂ、５１ｃ、５１ｄの開度ＭＶを過冷却度制御上限開度ＭＶｘ未満に維持できるようになり、利用側流量調節弁５１ａ、５１ｂ、５１ｃ、５１ｄの可変幅の範囲内で過冷却度制御を行うことができる。
【０１２７】
＜Ｃ＞
ここでは、上記のように、過冷却度制御正常条件を満たすかどうかによってガス抜き側流量調節弁４２を開閉制御するようにしている。このため、ガス抜き側流量調節弁４２の開度ＭＶを、過冷却度制御正常条件を満たすために必要な最小限の開度で維持することができる。
【０１２８】
これにより、ここでは、レシーバ２８から抜き出されるガス冷媒の量を最小限に抑えることができるようになり、レシーバ２８からのガス抜きによる性能低下を抑えることができる。
【０１２９】
＜Ｄ＞
ここでは、上記のように、レシーバ２８が所定液面Ｌ１まで達した場合には、過冷却度制御正常条件を満たすかどうかにかかわらず、すなわち、過冷却度制御正常条件を満たさない場合であっても、ガス抜き側流量調節弁４２の開度ＭＶを強制的に小さくする制御を行うようにしている。
【０１３０】
これにより、ここでは、過冷却度制御を適切に行えるようにしつつ、レシーバ２８から圧縮機２１に液冷媒が戻ることを抑えることができる。
【０１３１】
（４）変形例
上記の実施形態では、本発明が適用される冷凍装置として、冷暖同時運転型空気調和装置１の構成例に挙げて説明しているが、これに限定されるものではない。例えば、冷暖切換運転型空気調和装置等の他の冷凍装置であっても、レシーバを有する熱源ユニットと、利用側流量調節弁と利用側熱交換器とを有する利用ユニットとが、冷媒連絡管を介して接続されており、利用側熱交換器を冷媒の放熱器として機能させる運転において、利用側熱交換器の出口における冷媒の過冷却度に基づいて利用側流量調節弁の開度を制御するものであれば、本発明を適用することが可能である。
【０１３２】
また、上記の実施形態では、過冷却熱交換器４５及び吸入戻し管４６が設けられているが、設けられていなくてもよい。
【０１３３】
さらに、レシーバ液面検知管４３に設けられた冷媒加熱器４４の加熱源は、圧縮機２１から吐出された高圧のガス冷媒に限定されず、レシーバ出口管２８ｂを流れる液冷媒等であってもよい。
【産業上の利用可能性】
【０１３４】
本発明は、レシーバを有する熱源ユニットと、利用側流量調節弁と利用側熱交換器とを有する利用ユニットとが、冷媒連絡管を介して接続されており、利用側熱交換器を冷媒の放熱器として機能させる運転において、利用側熱交換器の出口における冷媒の過冷却度に基づいて利用側流量調節弁の開度を制御する冷凍装置に対して、広く適用可能である。
【符号の説明】
【０１３５】
１                              冷暖同時運転型空気調和装置（冷凍装置）
２                              熱源ユニット
３ａ、３ｂ、３ｃ、３ｄ          利用ユニット
７                              液冷媒連絡管
８、９                          ガス冷媒連絡管
２１                            圧縮機
２４、２５                熱源側熱交換器
２８                            レシーバ
４１                            レシーバガス抜き管
４２                            ガス抜き側流量調節弁
５１ａ、５１ｂ、５１ｃ、５１ｄ  利用側流量調節弁
５２ａ、５２ｂ、５２ｃ、５２ｄ  利用側熱交換器
【先行技術文献】
【特許文献】
【０１３６】
【特許文献１】特開２００６−７８０２６号公報